(57)【特許請求の範囲】
【請求項１】
１本以上の光ファイバケーブルと光ファイバ受信機とで構成される光ファイバ線路を、前記光ファイバ受信機を介して送信機から受信機に一方向に伝搬する情報信号および双方向信号を搬送する共通コネクタを介して前記受信機から前記送信機に逆方向に伝搬する外部同期信号を搬送する伝送線路に接続する双方向信号を搬送する情報伝送線路に光ファイバ線路を接続する光ファイバの接続方法において、前記情報信号の最大電圧レベルより高い或は最小電圧レベルより低い電圧レベルを有するパルス信号を、前記情報信号の帰線消去部分を使用することにより、前記伝送線路を経由して前記光ファイバ受信機に外部同期信号として送信するステップと、前記伝送線路を介して送信された前記パルス信号を、前記送信信号を所定レベルの基準信号又は電圧と比較することによって前記情報信号から分離するステップと、前記分離されたパルス信号を光学信号に変換し、この光学信号を前記１本以上の光ファイバケーブルを介して前記送信機に伝搬させるステップと、を備えることを特徴とする双方向信号を搬送する情報伝送線路に光ファイバ線路を接続する光ファイバの接続方法。
【請求項２】
前記送信機から前記受信機に向かって伝搬した前記情報信号から、前記パルス信号の継続期間と符合するクリッピングパルスを、前記光ファイバ受信機及び／又は前記受信機及び／又は前記送信機に包含されるクリッピング回路に付加することによって前記パルス信号を除去するステップを更に含み、もって閉ループ信号及び／又は信号エラーを防止することを特徴とする請求項１に記載の接続方法。
【請求項３】
前記情報信号が合成ビデオ信号又はディジタルビデオ信号であることを特徴とする請求項１に記載の接続方法。
【請求項４】
前記パルス信号が前記情報信号の各々に含まれる内部同期信号と極性が逆であることを特徴とする請求項３に記載の接続方法。
【請求項５】
前記情報信号がオーディオ信号と混合されていることを特徴とする請求項３に記載の接続方法。
【請求項６】
前記情報信号が前記送信機に関する識別信号を含むことを特徴とする請求項３に記載の接続方法。
【請求項７】
前記情報信号が前記送信機に関する状態及び／又は診断データを含むことを特徴とする請求項３に記載の接続方法。
【請求項８】
前記情報信号が前記送信機に関する識別信号を更に含むことを特徴とする請求項５に記載の接続方法。
【請求項９】
前記情報信号が前記送信機に関する状態及び／又は診断データを更に含むことを特徴とする請求項５又は請求項８に記載の接続方法。
【請求項１０】
１本以上の光ファイバケーブルと光ファイバ送信機とで構成される光ファイバ線路を、前記光ファイバ送信機を介して送信機から受信機に一方向に伝搬する情報信号および双方向信号を搬送する共通コネクタを介して前記受信機から前記光ファイバ送信機を介して前記送信機に逆方向に伝搬する外部同期信号を搬送する伝送線路に接続する双方向信号を搬送する情報伝送線路に光ファイバ線路を接続する光ファイバの接続方法において、前記１本以上の光ファイバケーブルを介して前記光ファイバ送信機に送信された光学信号を外部同期信号として受信するステップと、受信した前記光学信号を、前記情報信号の最大電圧レベルより高い或は最小電圧レベルより低い電圧レベルを有するパルス信号に変換するステップと、前記情報信号の帰線消去部分を使用することによって前記パルス信号を外部同期信号として前記送信機に伝搬させるため、前記パルス信号を前記伝送線路に付加するステップと、を備えることを特徴とする双方向信号を搬送する情報伝送線路に光ファイバ線路を接続する光ファイバの接続方法。
【請求項１１】
前記送信機から前記受信機に向かって伝搬した前記情報信号から、前記パルス信号の継続期間と符合するクリッピングパルスを前記光ファイバ送信機及び／又は前記受信機及び／又は前記送信機に包含されるクリッピング回路に付加することによって前記パルス信号を除去するステップを更に含み、もって閉ループ信号及び／又はエラーを防止することを特徴とする請求項１０に記載の接続方法。
【請求項１２】
前記伝送線路を介して伝搬した前記パルス信号を、前記双方向信号を所定レベルの基準信号又は電圧と比較することによって前記情報信号から分離するステップと、分離した前記パルス信号を前記送信機に供給するステップを更に含むことを特徴とする請求項１０に記載の接続方法。
【請求項１３】
前記情報信号が合成ビデオ信号又はディジタルビデオ信号であることを特徴とする請求項１０に記載の接続方法。
【請求項１４】
前記パルス信号が前記情報信号の各々に含まれる内部同期信号と極性が逆であることを特徴とする請求項１０に記載の接続方法。
【請求項１５】
前記情報信号がオーディオ信号と混合されていることを特徴とする請求項１３に記載の接続方法。
【請求項１６】
前記情報信号が前記送信機に関する識別信号を含むことを特徴とする請求項１３に記載の接続方法。
【請求項１７】
前記情報信号が前記送信機に関する状態及び／又は診断データを含むことを特徴とする請求項１３に記載の接続方法。
【請求項１８】
前記情報信号が前記送信機に関する識別信号を更に含むことを特徴とする請求項１５に記載の接続方法。
【請求項１９】
前記情報信号が前記送信機に関する状態及び／又は診断データを更に含むことを特徴とする請求項１５又は請求項１８に記載の接続方法。
【請求項２０】
１本以上の光ファイバケーブルと光ファイバ受信機とで構成される光ファイバ線路を、前記光ファイバ受信機を介して送信機から受信機に一方向に伝搬するビデオ信号および双方向信号を搬送する共通コネクタを介して前記受信機から前記送信機に逆方向に伝搬する制御信号を搬送する伝送線路に接続する双方向信号を搬送する情報伝送線路に光ファイバ線路を接続する光ファイバの接続方法において、前記ビデオ信号の１つ以上の所定水平走査期間中に制御信号を生成して前記ビデオ信号の垂直帰線消去部分中に前記伝送線路を介して前記光ファイバ受信機に供給するステップと、前記ビデオ信号の前記１つ以上の水平走査期間中に前記制御信号の包絡線を検出することによって前記ビデオ信号から、前記伝送線路を経由して伝搬した前記制御信号を分離するステップと、分離した前記制御信号を光学信号に変換して前記送信機に前記１つ以上の光ファイバケーブルに向けて送出するステップと、から成ることを特徴とする双方向信号を搬送する情報伝送線路に光ファイバ線路を接続する光ファイバの接続方法。
【請求項２１】
前記送信機から前記受信機に向かって伝搬した前記ビデオ信号から、前記ビデオ信号の前記１つ以上の所定水平走査期間と符合するクリッピングパルスを前記光ファイバ受信機及び／又は前記受信機及び／又は前記送信機に包含されるクリッピング回路に付加することによって前記制御信号を除去するステップを更に含み、もって閉ループ信号及び／又は信号エラーを防止することを特徴とする請求項２０に記載の接続方法。
【請求項２２】
前記ビデオ信号が合成ビデオ信号又はディジタルビデオ信号であることを特徴とする請求項２１に記載の接続方法。
【請求項２３】
前記ビデオ信号がオーディオ信号と混合されていることを特徴とする請求項２１に記載の接続方法。
【請求項２４】
前記ビデオ信号が前記送信機に関する識別信号を含むことを特徴とする請求項２１に記載の接続方法。
【請求項２５】
前記ビデオ信号が前記送信機に関する状態及び／又は診断データを含むことを特徴とする請求項２１に記載の接続方法。
【請求項２６】
前記ビデオ信号が前記送信機に関する識別信号を更に含むこと特徴とする請求項２３に記載の接続方法。
【請求項２７】
前記ビデオ信号が前記送信機に関する状態及び／又は診断データを更に含むことを特徴とする請求項２３又は請求項２６に記載の接続方法。
【請求項２８】
１本以上の光ファイバケーブルと光ファイバ送信機とで構成される光ファイバ線路を、前記光ファイバ送信機を介して送信機から受信機に向けて一方向に伝搬するビデオ信号および双方向信号を搬送する共通コネクタを経由し前記光ファイバ送信機を介して前記受信機から前記送信機に向かって反対方向に伝搬する制御信号を搬送する伝送線路に接続する双方向信号を搬送する情報伝送線路に光ファイバ線路を接続する光ファイバの接続方法において、前記ビデオ信号の１つ以上の所定の水平走査期間中に前記１本以上の光ファイバケーブルを介して光学信号を前記送信機の制御信号として送出するステップと、前記ビデオ信号の垂直帰線消去部分の前記１つ以上の所定水平走査期間中に前記制御信号を前記伝送線路に注入することによって前記制御信号を前記送信機に伝搬させるため前記送出光学信号を受信して前記制御信号に変換するステップと、から成ることを特徴とする双方向信号を搬送する情報伝送線路に光ファイバ線路を接続する光ファイバの接続方法。
【請求項２９】
前記送信機から前記受信機に向けて伝搬した前記ビデオ信号から、前記ビデオ信号の前記１つ以上の所定水平走査期間と符合するクリッピングパルスを前記光ファイバ送信機及び／又は前記受信機及び／又は前記送信機に包含されるクリッピング回路に付加することによって前記制御信号を除去するステップを更に含み、もって閉ループ信号及び／又は信号エラーを防止することを特徴とする請求項２８に記載の接続方法。
【請求項３０】
前記ビデオ信号が合成ビデオ信号又はディジタルビデオ信号であることを特徴とする請求項２８に記載の接続方法。
【請求項３１】
前記ビデオ信号がオーディオ信号と混合されていることを特徴とする請求項３０に記載の接続方法。
【請求項３２】
前記ビデオ信号が前記送信機に関する識別信号を含むことを特徴とする請求項３０に記載の接続方法。
【請求項３３】
前記ビデオ信号が前記送信機に関する状態及び／又は診断データを含むことを特徴とする請求項３０に記載の接続方法。
【請求項３４】
前記ビデオ信号が前記送信機に関する識別信号を更に含むことを特徴とする請求項３１に記載の接続方法。
【請求項３５】
前記ビデオ信号が前記送信機に関する状態及び／又は診断データを更に含むことを特徴とする請求項３１又は請求項３７に記載の接続方法。
【請求項３６】
１端が光ファイバ受信機で終結し、他端が光ファイバ送信機で終結する１本以上の光ファイバケーブルで構成された光ファイバ線路を、伝送線路の第１および第２の部分間に、前記伝送線路の前記第１部分および共通コネクタを介して前記光ファイバ受信機に接続された受信機と、前記伝送線路の前記第２部分および共通コネクタを介して前記光ファイバ送信機に接続された送信機と共に挿入し、前記送信機から前記受信機に向けて情報信号を１の方向に伝搬させ、双方向信号を搬送する前記共通コネクタを介して外部同期信号を前記受信機から前記送信機に向けて反対方向に伝搬させて光ファイバ線路を挿入する双方向信号を搬送する情報伝送線路に光ファイバ線路を接続する光ファイバの接続方法において、前記情報信号の最大電圧レベルよりも高い或は最小電圧レベルより低い電圧レベルを有するパルス信号を、前記情報信号の帰線消去部分を使用することにより外部同期信号として前記伝送線路の前記第１部分を経由して前記光ファイバ受信機に送信するステップと、前記伝送線路の前記第１部分を経由して送信された前記パルス信号を、前記送信された信号を所定レベルの基準信号若しくは電圧と比較することによって前記情報信号から分離し、この分離されたパルス信号を光学信号に変換して前記１本以上の光ファイバケーブルを介して前記光ファイバ送信機に向けて送出するステップと、前記光学信号を受信し、前記情報信号の最大電圧レベルより高いか、最小電圧レベルより低い電圧レベルを有するパルス信号に再変換し、この再変換されたパルス信号を前記伝送線路の前記第２部分に注入し、前記情報信号の帰線消去部分を使用することによって前記再変換パルス信号を外部同期信号として前記伝送線路を経由して前記送信機に向けて伝搬させるステップと、を備えることを特徴とする双方向信号を搬送する情報伝送線路に光ファイバ線路を接続する光ファイバの接続方法。
【請求項３７】
前記送信機から前記受信機に向けて伝搬した前記情報信号から、前記パルス信号の継続期間と符合するクリッピングパルスを前記光ファイバ受信機及び／又は前記光ファイバ送信機及び／又は前記受信機及び／又は前記送信機に包含されるクリッピング回路に付加することによって前記パルス信号を除去するステップを更に含み、もって閉ループ信号及び／又は信号エラーを防止することを特徴とする請求項３６に記載の接続方法。
【請求項３８】
前記情報信号が合成ビデオ信号又はディジタルビデオ信号であることを特徴とする請求項３６に記載の接続方法。
【請求項３９】
前記パルス信号が前記情報信号の各々に含まれる内部同期信号と反対の極性を有することを特徴とする請求項３８に記載の接続方法。
【請求項４０】
前記情報信号がオーディオ信号と混合されていることを特徴とする請求項３８に記載の接続方法。
【請求項４１】
前記情報信号が前記送信機に関する識別信号を含むことを特徴とする請求項３８に記載の接続方法。
【請求項４２】
前記情報信号が前記送信機に関する状態及び／又は診断データを含むことを特徴とする請求項３８に記載の接続方法。
【請求項４３】
前記情報信号が前記送信機に関する識別信号を更に含むことを特徴とする請求項４０に記載の接続方法。
【請求項４４】
前記情報信号が前記送信機に関する状態及び／又は診断データを更に含むこと特徴とする請求項４０又は請求項４３に記載の接続方法。
【請求項４５】
１端が光ファイバ受信機で終結し、他端が光ファイバ送信機で終結する１本以上の光ファイバケーブルで構成された光ファイバ線路を、伝送線路の第１および第２の部分間に、前記伝送線路の前記第１部分および共通コネクタを介して前記光ファイバ受信機に接続された受信機と、前記伝送線路の前記第２部分および共通コネクタを介して前記光ファイバ送信機に接続された送信機と共に挿入し、情報信号を前記送信機から前記受信機に向けて１の方向に伝搬させ、双方向信号を搬送する前記共通コネクタを介して外部同期信号を前記受信機から前記送信機に向けて反対方向に伝搬させて光ファイバ線路を挿入する双方向信号を搬送する情報伝送線路に光ファイバ線路を接続する光ファイバの接続方法において、前記ビデオ信号の１つ以上の所定水平走査期間中に制御信号を生成して前記ビデオ信号の垂直帰線消去部分中に前記伝送線路の前記第１部分を介して前記光ファイバ受信機に供給するステップと、前記ビデオ信号の前記１つ以上の水平走査期間中に前記制御信号の包絡線を検出することによって前記ビデオ信号から、前記伝送線路を経由して伝搬した前記制御信号を分離するステップと、分離した前記制御信号を光学信号に変換して前記１本以上の光ファイバケーブルを介して前記光ファイバ送信機に向けて送出するステップと、送出された前記光学信号を受信して前記制御信号に再変換し、前記ビデオ信号の垂直帰線消去部分の前記１つ以上の所定水平走査期間中に前記伝送線路に前記制御信号を注入することによって前記制御信号を前記伝送線路に伝搬させるステップと、を備えることを特徴とする双方向信号を搬送する情報伝送線路に光ファイバ線路を接続する光ファイバの接続方法。
【請求項４６】
前記送信機から前記受信機に向けて伝搬した前記ビデオ信号から、前記ビデオ信号の前記１つ以上の所定水平走査期間と符合するクリッピングパルスを前記光ファイバ受信機及び／又は前記光ファイバ送信機及び／又は前記受信機及び／又は前記送信機に包含されるクリッピング回路に付加することによって前記制御信号を除去するステップを更に含み、もって閉ループ信号及び／又は信号エラーを防止することを特徴とする請求項４５に記載の接続方法。
【請求項４７】
前記ビデオ信号が合成ビデオ信号又はディジタルビデオ信号であることを特徴とする請求項４５に記載の接続方法。
【請求項４８】
前記ビデオ信号がオーディオ信号と混合されていることを特徴とする請求項４７に記載の接続方法。
【請求項４９】
前記ビデオ信号が前記送信機に関する識別信号を含むことを特徴とする請求項４７に記載の接続方法。
【請求項５０】
前記情報信号が前記送信機に関する状態及び／又は診断データを含むことを特徴とする請求項４７に記載の接続方法。
【請求項５１】
前記ビデオ信号が前記送信機に関する識別信号を更に含むことを特徴とする請求項４８に記載の接続方法。
【請求項５２】
前記情報信号が前記送信機に関する状態及び／又は診断データを更に含むことを特徴とする請求項４８又は請求項５１に記載の接続方法。
【請求項５３】
１本以上の光ファイバケーブルと光ファイバ受信機とで構成される光ファイバ線路を、前記光ファイバ受信機を介して送信機から受信機に１の方向に伝搬するビデオ信号および双方向信号を搬送する共通コネクタを介して前記受信機から前記送信機に向けて逆方向に伝搬する外部同期信号ならびに制御信号を搬送する伝送線路に接続する双方向信号を搬送する情報伝送線路に光ファイバ線路を接続する光ファイバの接続方法において、前記ビデオ信号の最大電圧レベルより高い或は最小電圧レベルより低い電圧レベルを有するパルス信号と、前記パルス信号レベルと異なる所定電圧レベルを有する前記制御信号を生成して別個の異なる時間に前記伝送線路に供給し、前記ビデオ信号の１つ以上の所定水平走査期間中に発生した前記制御信号および前記パルス信号を、前記ビデオ信号の垂直帰線消去部分を使用することにより前記伝送線路を介して前記光ファイバ受信機に供給するステップと、前記伝送線路を介して伝搬した前記制御信号および前記パルス信号を、前記伝搬信号を所定レベルの基準信号又は電圧と比較すること及び前記ビデオ信号の前記１つ以上の所定水平走査期間中に前記制御信号の包絡線をタイムゲートおよび検出することにより、前記ビデオ信号から分離するステップと、分離された前記制御信号およびパルス信号を光学信号に変換し、この光学信号を前記１つ以上の光ファイバケーブルを介して前記送信機に向けて送出するステップと、を備えることを特徴とする双方向信号を搬送する情報伝送線路に光ファイバ線路を接続する光ファイバの接続方法。
【請求項５４】
前記送信機から前記受信機に向けて伝搬した前記情報信号から、前記パルス信号および前記制御信号の継続期間と符合するクリッピングパルスを前記光ファイバ受信機及び／又は前記受信機及び／又は前記送信機に包含される１つ以上のクリッピング回路に付加することによって前記パルス信号および前記制御信号を除去するステップを更に含み、もって閉ループ信号及び／又は信号エラーを防止することを特徴とする請求項５３に記載の接続方法。
【請求項５５】
前記ビデオ信号が合成ビデオ信号又はディジタルビデオ信号であることを特徴とする請求項５３に記載の接続方法。
【請求項５６】
前記パルス信号が前記ビデオ信号の各々に含まれる内部同期信号と逆の極性を有することを特徴とする請求項５５に記載の接続方法。
【請求項５７】
前記ビデオ信号がオーディオ信号と混合されていることを特徴とする請求項５５に記載の接続方法。
【請求項５８】
前記ビデオ信号が前記送信機に関する識別信号を含むことを特徴とする請求項５５に記載の接続方法。
【請求項５９】
前記ビデオ信号が前記送信機に関する状態及び／又は診断データを含むことを特徴とする請求項５５に記載の接続方法。
【請求項６０】
前記ビデオ信号が前記送信機に関する識別信号を更に含むことを特徴とする請求項５７に記載の接続方法。
【請求項６１】
前記ビデオ信号が前記送信機に関する状態及び／又は診断データを更に含むことを特徴とする請求項５７又は請求項６０に記載の接続方法。
【請求項６２】
１本以上の光ファイバケーブルと光ファイバ送信機とで構成される光ファイバ線路を、前記光ファイバ送信機を介して送信機から受信機に向けて１方向に伝搬するビデオ信号および双方向信号を搬送する共通コネクタを通り前記光ファイバ送信機を介して前記受信機から前記送信機に向けて逆方向に伝搬する外部同期信号ならびに制御信号を搬送する伝送線路に接続する双方向信号を搬送する情報伝送線路に光ファイバ線路を接続する光ファイバの接続方法において、前記外部同期信号のための第１のレベルおよび時間生起と、前記制御信号のための第２のレベルおよび時間生起の２つの異なるレベルおよび時間生起で構成される前記光ファイバ送信機に前記１本以上の光ファイバケーブルを介して送出された光学信号を受信するステップと、受信した前記第１レベルおよび時間生起光学信号を前記ビデオ信号の最大電圧レベルより高い又は最小電圧レベルより低い電圧レベルを有するパルス信号に、前記第２レベルおよび時間生起光学信号を前記制御信号に、前記ビデオ信号の１つ以上の所定水平走査期間中に変換するステップと、変換された前記パルス信号および前記制御信号を前記伝送線路に供給し、前記ビデオ信号の垂直帰線消去部分を用いることによってそのパルスおよび制御信号を外部同期信号および制御信号として前記送信機に伝搬させるステップと、を備えることを特徴とする双方向信号を搬送する情報伝送線路に光ファイバ線路を接続する光ファイバの接続方法。
【請求項６３】
前記送信機から前記受信機に向けて伝搬した前記ビデオ信号から、前記パルス信号および前記制御信号の時間および継続期間と符合するクリッピングパルスを前記光ファイバ送信機及び／又は前記受信機及び／又は前記送信機に包含されるクリッピング回路に付加することによって前記パルス信号および前記制御信号を除去するステップを更に含み、もって閉ループ信号及び／又は信号エラーを防止することを特徴とする請求項６２に記載の接続方法。
【請求項６４】
前記ビデオ信号が合成ビデオ信号又はディジタルビデオ信号であることを特徴とする請求項６２に記載の接続方法。
【請求項６５】
前記パルス信号が前記ビデオ信号の各々に含まれる内部同期信号と極性が逆であることを特徴とする請求項６４に記載の接続方法。
【請求項６６】
前記ビデオ信号がオーディオ信号と混合されていることを特徴とする請求項６４に記載の接続方法。
【請求項６７】
前記ビデオ信号が前記送信機に関する識別信号を更に含むことを特徴とする請求項６４に記載の接続方法。
【請求項６８】
前記ビデオ信号が前記送信機に関する状態及び／又は診断データを含むことを特徴とする請求項６４に記載の接続方法。
【請求項６９】
前記ビデオ信号が前記送信機に関する識別信号を更に含むことを特徴とする請求項６６に記載の接続方法。
【請求項７０】
前記ビデオ信号が送信機に関する状態及び／又は診断データを更に含むことを特徴とする請求項６６又は請求項６９に記載の接続方法。
【請求項７１】
１端が光ファイバ受信機で終結し、他端が光ファイバ送信機で終結する１本以上の光ファイバケーブルで構成された光ファイバ線路を、伝送線路の第１および第２の部分間に、前記伝送線路の前記第１部分および共通コネクタを介して前記光ファイバ受信機に接続された受信機および前記伝送線路の前記第２部分および共通コネクタを介して前記光ファイバ送信機に接続された送信機と共に挿入し、前記送信機から前記受信機に向けてビデオ信号を１方向に伝搬させ、双方向信号を搬送する前記共通コネクタを介して外部同期信号および制御信号を前記受信機から前記送信機に向けて反対方向に伝搬させて光ファイバ線路を挿入する双方向信号を搬送する情報伝送線路に光ファイバ線路を接続する光ファイバの接続方法において、前記ビデオ信号の最大電圧レベルより高い或は最小電圧レベルより低い電圧レベルを有する前記外部同期信号としてのパルス信号と、前記ビデオ信号の１つ以上の所定水平走査期間中に生成されて前記パルス信号レベルと異なる所定電圧レベルを有する前記制御信号との２つの別個の信号であって、前記ビデオ信号の垂直帰線消去部分を使用することによって前記伝送線路を通って前記光ファイバ受信機に供給される２つの信号を生成し、これらのパルス信号および制御信号を異なる時間に前記伝送線路の前記第１部分に供給するステップと、前記伝送線路を介して伝搬した前記制御信号および前記パルス信号を、前記伝搬信号を所定レベルの基準信号又は電圧と比較すること及び前記ビデオ信号の前記１つ以上の所定水平走査期間中に前記制御信号の包絡線をタイムゲートおよび検出することにより、前記ビデオ信号から分離し、分離された前記パルス信号および前記制御信号を光学信号に変換して前記１本以上の光ファイバケーブルを介して前記光ファイバ送信機に向けて送出するステップと、前記外部同期信号のための第１のレベルおよび時間生起と、前記制御信号のための第２のレベルおよび時間生起の２つの異なるレベルおよび時間生起で構成される前記光学信号を受信し、受信した前記第１レベルおよび時間生起光学信号を前記ビデオ信号の最大電圧レベルより高い又は最小電圧レベルより低い電圧レベルを有するパルス信号に、前記第２レベルおよび時間生起光学信号を前記制御信号に、前記ビデオ信号の１つ以上の所定水平走査期間中に変換し、変換された前記パルス信号および前記制御信号を前記伝送線路に供給して前記ビデオ信号の垂直帰線消去部分を用いることによって外部同期信号および制御信号として前記送信機に伝搬させるステップと、を備えることを特徴とする双方向信号を搬送する情報伝送線路に光ファイバ線路を接続する光ファイバの接続方法。
【請求項７２】
前記送信機から前記受信機に向けて伝搬した前記ビデオ信号から、前記パルス信号および前記制御信号の時間および継続期間と符合するクリッピングパルスを前記光ファイバ受信機及び／又は前記光ファイバ送信機及び／又は前記受信機及び／又は前記送信機に包含される１つ以上のクリッピング回路に付加することによって前記パルス信号および前記制御信号を除去するステップを更に含み、もって閉ループ信号及び／又は信号エラーを防止することを特徴とする請求項７１に記載の接続方法。
【請求項７３】
前記ビデオ信号が合成ビデオ信号又はディジタルビデオ信号であることを特徴とする請求項７１に記載の接続方法。
【請求項７４】
前記パルス信号が前記ビデオ信号の各々に含まれる内部同期信号と極性が逆であることを特徴とする請求項７１に記載の接続方法。
【請求項７５】
前記ビデオ信号がオーディオ信号と混合されていることを特徴とする請求項７３に記載の接続方法。
【請求項７６】
前記ビデオ信号が前記送信機に関する識別信号を含むことを特徴とする請求項７３に記載の接続方法。
【請求項７７】
前記ビデオ信号が前記送信機に関する状態及び／又は診断データを含むことを特徴とする請求項７３に記載の接続方法。
【請求項７８】
前記ビデオ信号が前記送信機に関する識別信号を更に含むことを特徴とする請求項７５に記載の接続方法。
【請求項７９】
前記ビデオ信号が前記送信機に関する状態及び／又は診断データを更に含むことを特徴とする請求項７５又は請求項７８に記載の接続方法。
【請求項８０】
１本以上の光ファイバケーブルおよび光ファイバ受信機を介して送信機から受信機に向けて１方向に伝搬する情報信号と、双方向信号を搬送する共通コネクタを介して前記受信機から前記送信機に向けて反対方向に伝搬する外部同期信号を搬送する伝送線路に前記１本以上の光ファイバケーブルを接続するための光ファイバによる受信装置にあって、前記１本以上の光ファイバケーブルを介して前記送信機から光学情報信号を受信してこの光学情報信号を電気信号に変換する回路および前記電気信号を前記情報信号に処理し、前記共通コネクタを介して前記情報信号を前記伝送線路に出力する回路と、前記情報信号の帰線消去部分の継続期間中に外部同期信号として前記共通コネクタを介し前記伝送線路を通って前記受信機から供給された前記情報信号の最大電圧レベルより高い又は最小電圧レベルより低い電圧レベルを有するパルス信号を抽出し、前記双方向信号を所定レベルの基準信号又は電圧と比較することにより前記パルス信号を前記情報信号から分離する回路と、分離された前記パルス信号を処理する回路および処理された前記パルス信号を光学信号に変換して前記１本以上の光ファイバケーブルを介して前記送信機に向けて送出する回路と、を備えることを特徴とする受信装置。
【請求項８１】
前記パルス信号の時間および継続期間と符合するクリッピングパルスを付加することにより、前記共通コネクタに供給された前記情報信号から前記パルス信号をクリッピングする回路を更に有し、もって閉ループ信号及び／又は信号エラーを防止することを特徴とする請求項８０に記載の受信装置。
【請求項８２】
前記情報信号が合成ビデオ信号又はディジタルビデオ信号であることを特徴とする請求項８１に記載の受信装置。
【請求項８３】
前記パルス信号が前記情報信号の各々に含まれる内部同期信号と極性が逆であることを特徴とする請求項８２に記載の受信装置。
【請求項８４】
前記情報信号がオーディオ信号と混合されていることを特徴とする請求項８２に記載の受信装置。
【請求項８５】
前記情報信号が前記送信機に関する識別信号を含むことを特徴とする請求項８２に記載の受信装置。
【請求項８６】
前記情報信号が前記送信機に関する状態及び／又は診断データを含むことを特徴とする請求項８２に記載の受信装置。
【請求項８７】
前記情報信号が前記送信機に関する識別信号を更に含むことを特徴とする請求項８４に記載の受信装置。
【請求項８８】
前記情報信号が前記送信機に関する状態及び／又は診断データを更に含むことを特徴とする請求項８４又は請求項８７に記載の受信装置。
【請求項８９】
光ファイバ送信機および１本以上の光ファイバケーブルを介して送信機から受信機に向けて１方向に情報信号を搬送する伝送線路に前記１本以上の光ファイバケーブルを接続し、双方向信号を搬送する共通コネクタを介して前記送信機に向けて前記光ファイバケーブルおよび前記光ファイバ送信機を介して前記受信機から供給された外部同期信号を反対方向に伝搬させる光ファイバによる送信装置にあって、前記伝送線路および前記共通コネクタを介して前記送信機から情報信号を受信する回路および受信した前記情報信号を光学信号に変換して前記１本以上の光ファイバケーブルを介して前記受信機に送出する回路と、前記１本以上の光ファイバケーブルを介して前記受信機から光学外部同期信号を受信し、受信した前記光学外部同期信号を電気信号に変換する回路および前記電気信号を、前記情報信号の最大電圧レベルより高い又は最小電圧レベルより低い電圧レベルを有するパルス信号に処理してこのパルス信号を外部同期信号として前記情報信号の帰線消去部分継続期間中に前記共通コネクタを介して前記伝送線路に供給する回路と、を備えることを特徴とする送信装置。
【請求項９０】
前記パルス信号の時間および継続期間と符合するクリッピングパルスを付加することにより、前記受信情報信号変換回路に供給された前記情報信号から前記パルス信号のクリッピングを行うクリッピング回路を更に含み、もって閉ループ信号及び／又は信号エラーを防止することを特徴とする請求項８９に記載の送信装置。
【請求項９１】
前記情報信号が合成ビデオ信号又はディジタルビデオ信号であることを特徴とする請求項８９に記載の送信装置。
【請求項９２】
前記パルス信号が前記情報信号の各々に含まれる内部同期信号と極性が逆であることを特徴とする請求項９１に記載の送信装置。
【請求項９３】
前記情報信号がオーディオ信号と混合されていることを特徴とする請求項９１に記載の送信装置。
【請求項９４】
前記情報信号が前記送信機に関する識別信号を含むことを特徴とする請求項９１に記載の送信装置。
【請求項９５】
前記情報信号が前記送信機に関する状態及び／又は診断データを含むことを特徴とする請求項９１に記載の送信装置。
【請求項９６】
前記情報信号が前記送信機に関する識別信号を更に含むことを特徴とする請求項９３に記載の送信装置。
【請求項９７】
前記情報信号が前記送信機に関する状態及び／診断データを更に含むことを特徴とする請求項９３又は請求項９６に記載の送信装置。
【請求項９８】
１本以上の光ファイバケーブルおよび光ファイバ受信機を介して送信機から受信機に向けて１方向に伝搬するビデオ信号と、双方向信号を搬送する共通コネクタを介して前記受信機から前記送信機に向けて反対方向に伝搬する制御信号を搬送する伝送線路に前記１本以上の光ファイバケーブルを接続する光ファイバによる受信装置にあって、前記１本以上の光ファイバケーブルを介して前記送信機から光学ビデオ信号を受信し、この光学ビデオ信号を電気信号に変換する回路および前記電気信号を前記ビデオ信号に変換して前記共通コネクタを介して前記伝送線路に出力する回路と、前記ビデオ信号の１つ以上の所定水平走査期間中に前記受信機によって生成されるとともに、垂直帰線消去部分の継続期間中に前記共通コネクタを介し前記伝送線路を通って前記光ファイバ受信機に供給された前記制御信号を抽出し、前記ビデオ信号の前記１つ以上の所定水平走査期間中に前記制御信号の包絡線をタイムゲートおよび検出することによって前記ビデオ信号から前記伝送線路を通って伝搬した前記制御信号を分離する回路と、分離された前記制御信号を処理する回路および分離された前記制御信号を光学信号に変換して前記１本以上の光ファイバケーブルを介して前記送信機に向けて送出する回路と、を備えることを特徴とする受信装置。
【請求項９９】
前記ビデオ信号の前記１つ以上の所定水平走査期間と符合するクリッピングパルスを付加することにより、前記共通コネクタに供給された前記ビデオ信号から前記制御信号のクリッピングを行う回路を更に有し、もって閉ループ信号及び／又は信号エラーを防止することを特徴とする請求項９８に記載の受信装置。
【請求項１００】
前記ビデオ信号が合成ビデオ信号又はディジタルビデオ信号であることを特徴とする請求項９８に記載の受信装置。
【請求項１０１】
前記ビデオ信号がオーディオ信号と混合されていることを特徴とする請求項１００に記載の受信装置。
【請求項１０２】
前記ビデオ信号が前記送信機に関する識別信号を含むことを特徴とする請求項１００に記載の受信装置。
【請求項１０３】
前記ビデオ信号が前記送信機に関する状態及び／又は診断データを含むことを特徴とする請求項１００に記載の受信装置。
【請求項１０４】
前記ビデオ信号が前記送信機に関する識別信号を更に含むことを特徴とする請求項１０１に記載の受信装置。
【請求項１０５】
前記ビデオ信号が前記送信機に関する状態及び／又は診断データを更に含むことを特徴とする請求項１０１又は請求項１０４に記載の受信装置。
【請求項１０６】
光ファイバ送信機および１本以上の光ファイバケーブルを介して送信機から受信機に向けて１方向にビデオ信号を搬送する伝送線路に前記１本以上の光ファイバケーブルを接続し、双方向信号を搬送する共通コネクタを介して前記受信機から前記送信機に向けて前記光ファイバケーブルおよび前記光ファイバ送信機を介して供給される制御信号を反対方向に伝搬させる光ファイバによる送信装置にあって、前記伝送線路および前記共通コネクタを介して前記送信機からビデオ信号を受信する回路および受信した前記ビデオ信号を光学信号に変換して前記１本以上の光ファイバケーブルを介して前記受信機に送出する回路と、前記１本以上の光ファイバケーブルを介して前記受信機から光学制御信号を受信して電気信号に変換する回路および前記ビデオ信号の１つ以上の所定水平走査期間中に前記電気信号を前記制御信号に処理し、この制御信号を前記ビデオ信号の帰線消去部分の継続期間中に前記共通コネクタを介して前記伝送線路に供給する回路と、を備えることを特徴とする送信装置。
【請求項１０７】
前記ビデオ信号の前記１つ以上の所定水平走査期間と符合するクリッピングパルスを付加することにより、前記受信ビデオ信号変換回路に供給された前記ビデオ信号から前記制御信号のクリッピングを行う回路を更に有し、もって閉ループ信号及び／又は信号エラーを防止することを特徴とする請求項１０６に記載の送信装置。
【請求項１０８】
前記ビデオ信号が合成ビデオ信号又はディジタルビデオ信号であることを特徴とする請求項１０６に記載の送信装置。
【請求項１０９】
前記ビデオ信号がオーディオ信号と混合されていることを特徴とする請求項１０８に記載の送信装置。
【請求項１１０】
前記ビデオ信号が前記送信機に関する識別信号を含むことを特徴とする請求項１０８に記載の送信装置。
【請求項１１１】
前記ビデオ信号が前記送信機に関する状態及び／又は診断データを含むことを特徴とする請求項１０８に記載の送信装置。
【請求項１１２】
前記ビデオ信号が前記送信機に関する識別信号を更に含むことを特徴とする請求項１０９に記載の送信装置。
【請求項１１３】
前記ビデオ信号が前記送信機に関する状態及び／又は診断データを更に含むことを特徴とする請求項１０９又は請求項１１２に記載の送信装置。
【請求項１１４】
１本以上の光ファイバケーブルおよび光ファイバ受信機を介して送信機から受信機に向けて１方向に伝搬したビデオ信号および双方向信号を搬送する共通コネクタを介して前記受信機から前記送信機に反対方向に伝搬する外部同期信号ならびに制御信号を搬送する伝送線路に前記１本以上の光ファイバケーブルを接続する光ファイバによる受信装置にあって、前記１本以上の光ファイバケーブルを介して前記送信機から光学ビデオ信号を受信して電気信号に変換する回路および前記電気信号を前記ビデオ信号に処理して前記共通コネクタを介して前記伝送線路に出力する回路と、２つの別個の信号で構成される前記受信機によって生成された前記制御信号ならびに前記外部同期信号を索出する索出回路と、から成り、前記外部同期信号は、前記ビデオ信号の最大電圧レベルより高い又は最小電圧レベルより低い電圧レベルを有するパルス信号であり、前記制御信号は、前記パルス信号レベルと異なる所定電圧レベルを有するとともに、前記パルス信号から異なる時間に生成される信号であり、前記制御信号は、前記ビデオ信号の１つ以上の所定水平走査期間中に生成され、前記パルス信号および前記制御信号は、前記ビデオ信号の垂直帰線消去部分の継続期間中に前記伝送線路を介して前記光ファイバ受信機に供給され、前記索出回路は、前記双方向信号を所定レベルの信号又は電圧と比較すること及び前記ビデオ信号の前記１つ以上の所定水平走査期間中に前記制御信号の包絡線をタイムゲートおよび検出することにより前記ビデオ信号から前記パルス信号および前記制御信号を分離し、分離された前記パルス信号および前記制御信号を光学信号に変換して前記１本以上の光ファイバケーブルを介して前記送信機に向けて送出する回路を更に含むことを特徴とする受信装置。
【請求項１１５】
前記パルス信号および前記制御信号の時間および継続期間と符合するクリッピングパルスを付加することにより、前記共通コネクタに供給された前記ビデオ信号から前記パルス信号および前記制御信号をクリップする１つ以上のクリッピング回路を更に有し、もって閉ループ信号及び／又は信号エラーを防止することを特徴とする請求項１１４に記載の受信装置。
【請求項１１６】
前記ビデオ信号が合成ビデオ信号又はディジタルビデオ信号であることを特徴とする請求項１１４に記載の受信装置。
【請求項１１７】
前記パルス信号が前記ビデオ信号の各々に含まれる内部同期信号と極性が逆であることを特徴とする請求項１１６に記載の受信装置。
【請求項１１８】
前記ビデオ信号がオーディオ信号と混合されていることを特徴とする請求項１１６に記載の受信装置。
【請求項１１９】
前記ビデオ信号が前記送信機に関する識別信号を含むことを特徴とする請求項１１６に記載の受信装置。
【請求項１２０】
前記ビデオ信号が前記送信機に関する状態及び／又は診断データを含むことを特徴とする請求項１１６に記載の受信装置。
【請求項１２１】
前記ビデオ信号が前記送信機に関する識別信号を更に含むことを特徴とする請求項１１８に記載の受信装置。
【請求項１２２】
前記ビデオ信号が前記送信機に関する状態及び／又は診断データを更に含むことを特徴とする請求項１１８又は請求項１２１に記載の受信装置。
【請求項１２３】
１本以上の光ファイバケーブルおよび光ファイバ送信機を介して送信機から受信機に向けて１方向にビデオ信号を搬送する伝送線路に前記１本以上の光ファイバケーブルを接続するとともに、双方向信号を搬送する共通コネクタを介し前記受信機から前記光ファイバケーブルおよび前記光ファイバ送信機を介して前記送信機に向けて供給された外部同期信号ならびに制御信号を反対方向に伝搬する光ファイバによる送信装置において、前記伝送線路および前記共通コネクタを介して前記送信機からビデオ信号を受信する回路および受信した前記ビデオ信号を光学信号に変換して前記１本以上の光ファイバケーブルを介して前記受信機に送出する回路と、２つの別個の信号で構成される、前記１本以上の光ファイバケーブルを介して前記受信機から光学外部同期および制御信号を受信する回路および前記電気信号を２つの別個の信号に処理する回路と、から成り、前記外部同期信号は、前記ビデオ信号の最大電圧レベルより高い又は最小電圧レベルより低い電圧レベルを有するパルス信号であり、前記制御信号は、前記パルス信号レベルとは異なる所定の電圧レベルを有する信号であるとともに、前記パルス信号とは別個の時間に生成され、前記制御信号は、前記ビデオ信号の１つ以上の所定水平走査期間中に生成され、前記電気信号処理回路は、前記ビデオ信号の垂直帰線消去部分の継続期間中に前記共通コネクタを介して前記伝送線路に前記パルス信号および前記制御信号を供給することを特徴とする送信装置。
【請求項１２４】
前記パルス信号および前記制御信号の時間および継続期間と符合するクリッピングパルスを付加することにより、前記受信ビデオ信号変換回路に供給された前記ビデオ信号から前記外部同期信号および前記制御信号をクリッピングする１つ以上のクリッピング回路を更に有し、もって閉ループ信号及び／又は信号エラーを防止することを特徴とする請求項１２３記載の送信装置。
【請求項１２５】
前記ビデオ信号が合成ビデオ信号又はディジタルビデオ信号であることを特徴とする請求項１２３に記載の送信装置。
【請求項１２６】
前記パルス信号が前記ビデオ信号の各々に含まれる内部同期信号と極性が逆であることを特徴とする請求項１２５に記載の送信装置。
【請求項１２７】
前記ビデオ信号がオーディオ信号と混合されていることを特徴とする請求項１２５に記載の送信装置。
【請求項１２８】
前記ビデオ信号が前記送信機に関する識別信号を含むことを特徴とする請求項１２５に記載の送信装置。
【請求項１２９】
前記ビデオ信号が前記送信機に関する状態及び/又は診断データを含むことを特徴とする請求項１２５に記載の送信装置。
【請求項１３０】
前記ビデオ信号が前記送信機に関する識別信号を更に含むことを特徴とする請求項１２７に記載の送信装置。
【請求項１３１】
前記ビデオ信号が前記送信機に関する状態及び/又は診断データを更に含むことを特徴とする請求項１２７又は請求項１３０に記載の送信装置。
【請求項１３２】
一端が光ファイバ受信機に接続され、他端が光ファイバ送信機に接続された１本以上の光ファイバケーブルで構成され、伝送線路の第1および第２部分に、前記伝送線路の前記第１部分および共通コネクタを介して前記光ファイバ受信機に接続された受信機ならびに前記伝送線路の前記第２部分および前記共通コネクタを介して前記光ファイバ送信機に接続された送信機と共に接続され、前記送信機から前記受信機に向けて１方向に情報信号を、前記受信機から前記送信機に向けて反対方向に外部同期信号を、双方向信号を搬送する前記共通コネクタを介して伝搬させる光ファイバシステムにおいて、前記伝送線路の前記第２部分および前記共通コネクタを介して前記送信機から情報信号を受信する回路と、受信した前記情報信号を光学信号に変換して前記１本以上の光ファイバケーブルを介して前記光ファイバ受信機に向けて送出する回路とで構成される光ファイバ送信機と、前記１本以上の光ファイバケーブルを介して前記光ファイバ受信機から光学外部同期信号を受信し、この光学外部同期信号を電気信号に変換する回路および前記電気信号を、前記情報信号の最大電圧レベルより高い或は最小電圧レベルより低い電圧レベルを有するパルス信号に処理し、このパルス信号を外部同期信号として前記共通コネクタを介し前記情報信号の帰線消去部分の継続期間中に前記伝送線路の前記第２部分に供給する回路と、前記１本以上の光ファイバケーブルを介して前記光ファイバ送信機から光学情報信号を受信して電気信号に変換する回路および前記電気信号を前記情報信号に処理し、この情報信号を前記共通コネクタを介して前記伝送線路の前記第１部分に出力する回路と、前記情報信号の帰線消去部分継続期間中に外部同期信号として前記共通コネクタを介し前記伝送線路の前記第１部分を通って前記受信機から供給された前記情報信号の最大電圧レベルより高い又は最小電圧レベルより低い電圧レベルを有するパルス信号を抽出し、前記双方向信号を所定レベルの基準信号と比較することによって前記情報信号から前記パルス信号を分離する回路と、分離された前記パルス信号を処理する回路および処理された前記パルス信号を光学信号に変換して前記１本以上の光ファイバケーブルを介して前記光ファイバ送信機に向けて送出する回路と、から成ることを特徴とする光ファイバシステム。
【請求項１３３】
前記パルス信号の時間および継続期間と符合するクリッピングパルスを供給することにより、前記光ファイバ送信機及び／又は前記光ファイバ受信機によって処理された前記情報信号から前記パルス信号をクリッピングする１つ以上の回路を更に含み、もって閉ループ信号及び／又は信号エラーを防止することを特徴とする請求項１３２に記載の光ファイバシステム。
【請求項１３４】
前記情報信号が合成ビデオ信号又はディジタルビデオ信号であることを特徴とする請求項１３２に記載の光ファイバシステム。
【請求項１３５】
前記パルス信号が前記情報信号の各々に含まれる内部同期信号と極性が逆であることを特徴とする請求項１３４に記載の光ファイバシステム。
【請求項１３６】
前記情報信号がオーディオ信号と混合されていることを特徴とする請求項１３４に記載の光ファイバシステム。
【請求項１３７】
前記情報信号が前記送信機に関する識別信号を含むことを特徴とする請求項１３４に記載の光ファイバシステム。
【請求項１３８】
前記情報信号が前記送信機に関する状態及び／又は診断データを含むことを特徴とする請求項１３４に記載の光ファイバシステム。
【請求項１３９】
前記情報信号が前記送信機に関する識別信号を更に含むことを特徴とする請求項１３６に記載の光ファイバシステム。
【請求項１４０】
前記情報信号が前記送信機に関する状態及び／又は診断データを更に含むことを特徴とする請求項１３６又は請求項１３９に記載の光ファイバシステム。
【請求項１４１】
一端が光ファイバ受信機に接続され、他端が光ファイバ送信機に接続された１本以上の光ファイバケーブルで構成され、伝送線路の第1および第２部分に、前記伝送線路の前記第１部分および共通コネクタを介して前記光ファイバ受信機に接続された受信機ならびに前記伝送線路の前記第２部分および前記共通コネクタを介して前記光ファイバ送信機に接続された送信機と共に接続されて、前記送信機から前記受信機に向けて１方向にビデオ信号を、また、前記受信機から前記送信機に向けて反対方向に制御信号を、双方向信号を搬送する前記共通コネクタを介して伝搬する光ファイバシステムにおいて、前記伝送線路の前記第２部分および前記共通コネクタを介して前記送信機からビデオ信号を受信する回路と、受信した前記ビデオ信号を光学信号に変換し、この変換した光学信号を前記１本以上の光ファイバケーブルを介して前記光ファイバ受信機に送出する回路とで構成された光ファイバ送信機と、前記１本以上の光ファイバケーブルを介して前記光ファイバ受信機から光学制御信号を受信し、この光学制御信号を電気信号に変換する回路および前記ビデオ信号の１つ以上の所定水平走査期間中に前記電気信号を前記制御信号に処理し、前記パルス信号を外部同期信号として前記情報信号の帰線消去部分継続期間中に前記共通コネクタを介して前記伝送線路の前記第２部分に供給する回路と、前記１本以上の光ファイバケーブルを介して前記光ファイバ送信機から光学ビデオ信号を受信し、この光学ビデオ信号を電気信号に変換する回路および前記電気信号を前記ビデオ信号に処理し、前記共通コネクタを介して前記ビデオ信号を前記伝送線路の前記第１部分に出力する回路と、前記ビデオ信号の１つ以上の所定水平走査期間中に前記受信機で生成され、前記ビデオ信号の垂直帰線消去部分の継続期間中に前記共通コネクタを介し前記伝送線路の前記第１部分を通って前記光ファイバ受信機に供給された制御信号を抽出し、前記ビデオ信号の前記１つ以上の所定水平走査期間中に前記制御信号の包絡線をタイムゲートおよび検出することによって前記ビデオ信号から前記伝送線路を介して伝搬した前記制御信号を分離する回路と、分離した前記制御信号を処理する回路および処理した前記制御信号を光学信号に変換して前記１本以上の光ファイバケーブルを介して前記光ファイバ送信機に向けて送出する回路と、から成ることを特徴とする光ファイバシステム。
【請求項１４２】
前記ビデオ信号の前記１つ以上の所定水平走査期間と符合するクリッピングパルスを付加することにより、前記光ファイバ送信機及び／又は前記光ファイバ受信機で処理された前記ビデオ信号から前記制御信号をクリッピングする１つ以上の回路を更に含み、もって閉ループ信号及び／又は信号エラーを防止することを特徴とする請求項１４１に記載の光ファイバシステム。
【請求項１４３】
前記ビデオ信号が合成ビデオ信号又はディジタルビデオ信号であることを特徴とする請求項１４１に記載の光ファイバシステム。
【請求項１４４】
前記ビデオ信号がオーディオ信号と混合されていることを特徴とする請求項１４３に記載の光ファイバシステム。
【請求項１４５】
前記ビデオ信号が前記送信機に関する識別信号を含むことを特徴とする請求項１４３に記載の光ファイバシステム。
【請求項１４６】
前記ビデオ信号が前記送信機に関する状態及び／又は診断データを含むことを特徴とする請求項１４３に記載の光ファイバシステム。
【請求項１４７】
前記ビデオ信号が前記送信機に関する識別信号を更に含むことを特徴とする請求項１４４に記載の光ファイバシステム。
【請求項１４８】
前記ビデオ信号が前記送信機に関する状態及び／又は診断データを更に含むことを特徴とする請求項１４４又は請求項１４７に記載の光ファイバシステム。
【請求項１４９】
一端が光ファイバ受信機に接続され、他端が光ファイバ送信機に接続された１本以上の光ファイバケーブルで構成され、伝送線路の第1および第２部分に、前記伝送線路の前記第１部分および共通コネクタを介して前記光ファイバ受信機に接続された受信機ならびに前記伝送線路の前記第２部分および前記共通コネクタを介して前記光ファイバ送信機に接続された送信機と共に接続されて、前記送信機から前記受信機に向けて１方向にビデオ信号を、また、前記受信機から前記送信機に向けて反対方向に外部同期信号および制御信号を、双方向信号を搬送する前記共通コネクタを介して伝搬する光ファイバシステムにおいて、前記伝送線路の前記第２部分および前記共通コネクタを介して前記送信機からビデオ信号を受信する回路と、受信した前記ビデオ信号を光学信号に変換し、この変換した光学信号を前記１本以上の光ファイバケーブルを介して前記光ファイバ受信機に送出する回路とで構成された光ファイバ送信機と、前記１本以上の光ファイバケーブルを介して前記光ファイバ受信機から２つの別個の光学信号で構成される光学外部同期および制御信号を受信し、前記２つの別個の光学信号を２つの別個の電気信号に変換する回路および前記電気信号を２つの別個の信号に処理する回路と、前記外部同期信号が前記ビデオ信号の最大電圧レベルより高い或は最小電圧レベルより低い電圧レベルを有するパルス信号であることと、前記制御信号が前記パルス信号レベルと別個の異なる所定電圧レベルを有するとともに、前記パルス信号と異なる時間に生成される信号であることと、前記制御信号が前記ビデオ信号の１つ以上の所定水平走査期間中に生成されることと、前記電気信号処理回路が前記ビデオ信号の垂直帰線消去部分継続期間中に前記共通コネクタを介して前記伝送線路の前記第２部分に前記パルス信号および前記制御信号を供給することと、前記１本以上の光ファイバケーブルを介して前記光ファイバ送信機から光学ビデオ信号を受信し、この光学ビデオ信号を電気信号に変換する回路と、前記電気信号を前記ビデオ信号に処理し、このビデオ信号を前記共通コネクタを介して前記伝送線路の前記第２部分に出力する回路とで構成された光ファイバ受信機と、２つの別個の信号で構成される前記受信機で生成された前記制御信号ならびに前記外部同期信号を抽出するための抽出回路と、前記外部同期信号が前記ビデオ信号の最大電圧レベルより高い或は最小電圧レベルより低い電圧レベルを有するパルス信号であることと、前記制御信号が前記パルス信号レベルと別個の異なる所定電圧レベルを有するとともに、前記パルス信号と異なる時間に生成される信号であることと、前記制御信号が前記ビデオ信号の１つ以上の所定水平走査期間中に生成されることと、前記パルス信号および前記制御信号が前記ビデオ信号の垂直帰線消去部分継続期間中に前記伝送線路の前記第１部分を介して前記光ファイバ受信機に供給されることと、前記双方向信号を所定レベルの基準信号又は電圧と比較し、前記ビデオ信号の前記１つ以上の所定水平走査期間中に前記制御信号の包絡線をタイムゲートおよび検出することにより、前記抽出回路が前記ビデオ信号から前記パルス信号および前記制御信号を分離することと、分離された��記パルス信号および前記制御信号を光学信号に変換し、この光学信号を前記１本以上の光ファイバケーブルを介して前記光ファイバ送信機に向けて送出する回路と、から成ることを特徴とする光ファイバシステム。
【請求項１５０】
前記パルス信号および前記制御信号の時間および継続期間と符合するクリッピングパルスを付加することにより、前記光ファイバ送信機及び／又は前記光ファイバ受信機で処理された前記ビデオ信号から前記パルス信号および前記制御信号をクリッピングする１つ以上の回路を更に含み、もって閉ループ信号及び／又は信号エラーを防止することを特徴とする請求項１４９に記載の光ファイバシステム。
【請求項１５１】
前記ビデオ信号が合成ビデオ信号又はディジタルビデオ信号であることを特徴とする請求項１４９に記載の光ファイバシステム。
【請求項１５２】
前記パルス信号が前記ビデオ信号の各々に含まれる内部同期信号と極性が逆であることを特徴とする請求項１５１に記載の光ファイバシステム。
【請求項１５３】
前記ビデオ信号がオーディオ信号と混合されていることを特徴とする請求項１５１に記載の光ファイバシステム。
【請求項１５４】
前記ビデオ信号が前記送信機に関する識別信号を含むことを特徴とする請求項１５１に記載の光ファイバシステム。
【請求項１５５】
前記ビデオ信号が前記送信機に関する状態及び／又は診断データを含むことを特徴とする請求項１５１に記載の光ファイバシステム。
【請求項１５６】
前記ビデオ信号が前記送信機に関する識別信号を更に含むことを特徴とする請求項１５３に記載の光ファイバシステム。
【請求項１５７】
前記ビデオ信号が前記送信機に関する状態及び／又は診断データを更に含むことを特徴とする請求項１５３又は請求項１５６に記載の光ファイバシステム。
【請求項１５８】
前記送信機がＴＶカメラであり、前記ＴＶカメラで生成されたビデオ信号を処理する回路および処理された前記、ビデオ信号を光学信号に変換し、前記１本以上の光ファイバケーブルを介して前記光学信号を前記光ファイバ受信機に送出する回路と、前記１本以上の光ファイバケーブルを介して前記光ファイバ受信機から光学外部同期信号を受信し、前記光学外部同期信号を電気信号に変換する回路および前記電気信号を、前記情報信号の最大電圧レベルより高い或は最小電圧レベルより低い電圧レベルを有するパルス信号に処理し、前記パルス信号を外部同期信号として前記情報信号の帰線消去部分継続期間中に前記ＴＶカメラに供給する回路と、を更に含むことを特徴とする請求項８９に記載の送信装置。
【請求項１５９】
前記ビデオ信号が合成ビデオ信号又はディジタルビデオ信号であることを特徴とする請求項１５８に記載の送信装置。
【請求項１６０】
前記パルス信号が前記ビデオ信号の各々に含まれる内部同期信号と極性が逆であることを特徴とする請求項１５９に記載の送信装置。
【請求項１６１】
前記ＴＶカメラがオーディオ信号を注入する回路を有し、前記ビデオ信号がオーディオ信号と混合されていることを特徴とする請求項１５９に記載の送信装置。
【請求項１６２】
前記ＴＶカメラが識別信号を注入する回路を有し、前記ビデオ信号が前記ＴＶカメラに関する識別信号を含むことを特徴とする請求項１５９に記載の送信装置。
【請求項１６３】
前記識別信号注入回路が前記ＴＶカメラに関する状態及び／又は診断データ信号の注入に使用され、前記ビデオ信号が前記ＴＶカメラに関する状態及び／又は診断データを含むことを特徴とする請求項１６２に記載の送信装置。
【請求項１６４】
前記ＴＶカメラが識別コード信号を注入する回路を有し、前記ビデオ信号が前記ＴＶカメラに関する識別信号を更に含むことを特徴とする請求項１６１に記載の送信装置。
【請求項１６５】
前記ＴＶカメラがオーディオ信号を注入する回路を有し、前記ビデオ信号がオーディオ信号と混合されていること特徴とする請求項１６３に記載の送信装置。
【請求項１６６】
前記ビデオ信号が前記ＴＶカメラに関する識別及び／又は状態及び／又は診断データを更に含むことを特徴とする請求項１６５に記載の送信装置。
【請求項１６７】
前記送信機がＴＶカメラであり、前記光ファイバ受信機が、前記ＴＶカメラで生成されたビデオ信号を処理する回路および処理された前記ビデオ信号を光学信号に変換し、前記光学信号を前記受信機に送出する回路と、前記受信機から光学制御信号を受信し、前記光学制御信号を電気信号に変換する回路および前記ビデオ信号の１つ以上の所定水平期間中に前記電気信号を前記制御信号に処理し、前記ビデオ信号の帰線消去部分継続期間中に前記制御信号を前記ＴＶカメラに供給する回路と、を更に含むことを特徴とする請求項８９に記載の送信装置。
【請求項１６８】
前記ビデオ信号が合成ビデオ信号又はディジタルビデオ信号であることを特徴とする請求項１６７に記載の送信装置。
【請求項１６９】
前記ＴＶカメラがオーディオ信号注入回路を有し、前記ビデオ信号がオーディオ信号と混合されていることを特徴とする請求項１６８に記載の送信装置。
【請求項１７０】
前記ＴＶカメラが識別信号注入回路を有し、前記ビデオ信号が前記ＴＶカメラに関する識別信号を含むことを特徴とする請求項１６８に記載の送信装置。
【請求項１７１】
前記ＴＶカメラが識別コード信号注入回路を有し、前記ビデオ信号が前記ＴＶカメラに関する識別信号を更に含むことを特徴とする請求項１６９に記載の送信装置。
【請求項１７２】
前記識別信号注入回路が前記ＴＶカメラに関する状態及び／又は診断データ信号の注入に使用され、前記ビデオ信号が前記ＴＶカメラに関する状態及び／又は診断データを含むことを特徴とする請求項１７０に記載の送信装置。
【請求項１７３】
前記ＴＶカメラがオーディオ信号注入回路を有し、前記ビデオ信号がオーディオ信号と混合されていることを特徴とする請求項１７２に記載の送信装置。
【請求項１７４】
前記ビデオ信号が前記ＴＶカメラに関する識別及び／又は状態及び／又は診断データを更に含むことを特徴とする請求項１７３に記載の送信装置。
【請求項１７５】
前記送信機がＴＶカメラであり、前記光ファイバ受信機が、前記ＴＶカメラで生成されたビデオ信号を処理する回路および処理された前記ビデオ信号を光学信号に変換し、前記光学信号を前記受信機に送出する回路と、前記１本以上の光ファイバケーブルを介して２つの別個の光学信号で構成される光学外部同期および制御信号を前記受信機から受信し、前記２つの別個の光学信号を２つの別個の電気信号に変換する回路および前記電気信号を２つの別個の信号に処理する回路と、を更に含み、前記外部同期信号が前記ビデオ信号の最大電圧レベルより高い或は最小電圧レベルより低い電圧レベルを有するパルス信号であり、前記制御信号が前記パルス信号レベルと別個の異なる所定電圧レベルを有し、前記パルス信号と異なる別個の時間に生成される信号であり、前記制御信号が前記ビデオ信号の垂直帰線消去部分継続期間中に前記パルス信号および前記制御信号を前記ＴＶカメラに供給するため前記ビデオ信号の１つ以上の所定水平走査期間中に生成されることを特徴とする請求項１０６に記載の送信装置。
【請求項１７６】
前記ビデオ信号が合成ビデオ信号又はディジタルビデオ信号であることを特徴とする請求項１７５に記載の送信装置。
【請求項１７７】
前記パルス信号が前記ビデオ信号の各々に含まれる内部同期信号と極性が逆であることを特徴とする請求項１７６に記載の送信装置。
【請求項１７８】
前記ＴＶカメラがオーディオ信号注入回路を有し、前記ビデオ信号がオーディオ信号を混合されることを特徴とする請求項１７６に記載の送信装置。
【請求項１７９】
前記ＴＶカメラが識別信号注入回路を有し、前記ビデオ信号が前記ＴＶカメラに関する識別信号を含むことを特徴とする請求項１７６に記載の送信装置。
【請求項１８０】
前記識別信号注入回路が前記ＴＶカメラに関する状態及び／又は診断データ信号の注入に使用され、前記ビデオ信号が前記ＴＶカメラに関する状態及び／又は診断データを含むことを特徴とする請求項１７６に記載の送信装置。
【請求項１８１】
前記ＴＶカメラが識別コード信号注入回路を有し、前記ビデオ信号が前記ＴＶカメラに関する識別信号を更に含むことを特徴とする請求項１７８に記載の送信装置。
【請求項１８２】
前記ＴＶカメラがオーディオ信号注入回路を有し、前記ビデオカメラがオーディオ信号と混合されることを特徴とする請求項１８０に記載の送信装置。
【請求項１８３】
前記ビデオ信号が前記ＴＶカメラに関する識別及び／又は状態及び／又は診断データを更に含むことを特徴とする請求項１８２に記載の送信装置。
【請求項１８４】
前記光ファイバ受信機が、前記１本以上の光ファイバケーブルを介して前記光ファイバ送信機又は前記送信機から光学情報信号を受信し、前記光学情報信号を電気信号に変換する回路および前記電気信号を前記情報信号に処理、出力する回路と、前記情報信号の帰線消去部分継続期間中に外部同期信号として前記情報信号の最大電圧レベルより高い或は最小電圧レベルより低い電圧レベルを有するパルス信号を生成する回路と、前記パルス信号を処理する回路および処理された前記パルス信号を光学信号に変換し、前記情報信号の帰線消去部分継続期間中に前記１本以上の光ファイバケーブルを介して前記光ファイバ送信機又は前記送信機に前記光学信号を送出する回路と、を更に含むことを特徴とする請求項８０に記載の受信装置。
【請求項１８５】
前記パルス信号の時間および継続期間と符合するクリッピングパルスを付加することにより、前記送信機又は前記光ファイバ送信機から供給された前記情報信号から前記パルス信号をクリップするクリッピング回路を更に含み、もって閉ループ信号及び／又は信号エラーを防止することを特徴とする請求項１８４に記載の受信装置。
【請求項１８６】
前記情報信号が合成ビデオ信号又はディジタルビデオ信号であることを特徴とする請求項１８４に記載の受信装置。
【請求項１８７】
前記パルス信号が前記情報信号の各々に含まれる内部同期信号と極性が逆であることを特徴とする請求項１８６に記載の受信装置。
【請求項１８８】
前記情報信号がオーディオ信号と混合され、前記受信機が前記オーディオ信号を出力するためのオーディオ抽出回路を更に含むことを特徴とする請求項１８６に記載の受信装置。
【請求項１８９】
前記光ファイバ受信機が、前記１本以上の光ファイバケーブルを介して前記光ファイバ送信機又はＴＶカメラから光学ビデオ信号を受信し、この光学ビデオ信号を電気信号に変換する回路および前記電気信号をビデオ信号に処理して出力する回路と、前記ビデオ信号の１つ以上の所定水平走査期間中に制御信号を生成する回路と、前記制御信号を処理する回路および処理された前記制御信号を光学信号に変換し、前記ビデオ信号の垂直帰線消去継続期間中に前記１本以上の光ファイバケーブルを介して前記光学信号を前記光ファイバ送信機又は前記ＴＶカメラに向けて送出する回路と、を更に含むことを特徴とする請求項１１４に記載の受信装置。
【請求項１９０】
前記ビデオ信号の前記１つ以上の所定水平期間と符合するクリッピングパルスを付加することにより、前記送信機又は前記光ファイバ送信機から供給された前記ビデオ信号から前記制御信号をクリップするクリッピング回路を更に含み、もって閉ループ信号及び／又は信号エラーを防止することを特徴とする請求項１８９に記載の受信装置。
【請求項１９１】
前記ビデオ信号が合成ビデオ信号又はディジタルビデオ信号であることを特徴とする請求項１８９に記載の受信装置。
【請求項１９２】
前記ビデオ信号がオーディオ信号と混合され、前記受信機が前記オーディオ信号を出力するオーディオ抽出回路を更に含むことを特徴とする請求項１９１に記載の受信装置。
【請求項１９３】
前記ビデオ信号が前記送信機に関する識別信号を含み、前記受信機が前記識別信号を抽出する回路を更に含むことを特徴とする請求項１９１に記載の受信装置。
【請求項１９４】
前記制御信号生成回路が前記抽出識別信号を前記制御信号と合成することによって合成制御信号を生成することを特徴とする請求項１９３に記載の受信装置。
【請求項１９５】
前記ビデオ信号がオーディオ信号と混合され、前記受信機が前記オーディオ信号を出力するオーディオ抽出回路を更に含むことを特徴とする請求項１９４に記載の受信装置。
【請求項１９６】
前記光ファイバ受信機が、前記１本以上の光ファイバケーブルを介して前記光ファイバ送信機又はＴＶカメラから光学ビデオ信号を受信し、この光学ビデオ信号を電気信号に変換する回路および前記電気信号をビデオ信号に処理して出力する回路と、前記外部同期信号ならびに前記制御信号を生成する回路と、前記外部同期信号が前記ビデオ信号の最大電圧レベルより高い又は最小電圧レベルより低い電圧レベルを有するパルス信号であることと、前記制御信号が前記パルス信号レベルと別個の異なる所定電圧レベルを有し、前記パルス信号と異なる別個の時間に生成される信号であることと、前記制御信号が前記ビデオ信号１つ以上の所定水平走査期間中に生成されることと、前記パルス信号および前記制御信号が前記ビデオ信号の垂直帰線消去部分継続期間中に生成されることと、前記パルス信号および前記制御信号を光学信号に変換し、前記ビデオ信号の垂直帰線消去部分継続期間中に前記１本以上の光ファイバケーブルを介して前記光学信号を前記光ファイバ送信機又は前記ＴＶカメラに向けて送出する回路と、を更に含むことを特徴とする請求項１８４に記載の受信装置。
【請求項１９７】
前記パルス信号および前記制御信号の時間および継続期間と符合するクリッピングパルスを付加することにより、前記送信機又は前記光ファイバ送信機から供給された前記ビデオ信号から前記パルス信号および前記制御信号をクリップするクリッピング回路を更に含み、もって閉ループ信号及び／又は信号エラーを防止することを特徴とする請求項１９６に記載の受信装置。
【請求項１９８】
前記ビデオ信号が合成ビデオ信号又はディジタルビデオ信号であることを特徴とする請求項１９６に記載の受信装置。
【請求項１９９】
前記パルス信号が前記ビデオ信号の各々に含まれる内部同期信号と極性が逆であることを特徴とする請求項１９８に記載の受信装置。
【請求項２００】
前記パルス信号がオーディオ信号と混合され、前記受信機が前記オーディオ信号を出力するオーディオ抽出回路を更に含むことを特徴とする請求項１９８に記載の受信装置。
【請求項２０１】
前記ビデオ信号が前記送信機に関する識別信号を含み、前記受信機が前記識別信号を抽出する回路を更に含むことを特徴とする請求項１９８に記載の受信装置。
【請求項２０２】
前記制御信号生成回路が抽出された前記識別信号を前記制御信号と合成することによって合成制御信号を生成することを特徴とする請求項２０１に記載の受信装置。
【請求項２０３】
前記ビデオ信号がオーディオ信号と混合され、前記受信機が前記オーディオ信号を出力する回路を更に含むことを特徴とする請求項２０２に記載の受信装置。
【請求項２０４】
情報信号伝送システムに含まれる共通コネクタを介して情報信号を受信機に向けて１方向に、外部同期信号を複数の送信機に向けて反対方向に及び／又は直接前記送信機に、伝送線路及び／又は光ファイバケーブルを介し、光ファイバ受信機及び／又は光ファイバ送信機を通って伝搬するため前記送信機を、前記情報信号のいずれかを選択的に接続及び／又は前記情報信号の一方から他方に切り替えるためのセレクタとともに、接続する受信装置において、前記情報信号の最大電圧レベルより高い或は最小電圧レベルより低い電圧レベルを有するパルス信号を前記情報信号の帰線消去部分の継続期間中に外部同期信号として生成する回路と、複数の入力極を有し、前記複数の送信機から複数の情報信号を受信して単一情報信号を選択的に出力するセレクタ回路と、前記伝送線路とそれぞれ連携して前記光ファイバ受信機又は前記送信機を対応する前記入力極に接続する１つ以上の共通コネクタ及び／又は前記光ファイバ送信機及び／又は前記送信機を対応する前記入力極に接続する１つ以上の光ファイバコネクタと、前記光ファイバコネクタの各々が１本以上の光ファイバケーブルを接続するとともに、前記１本以上の光ファイバケーブルを介して前記光ファイバ送信機又は前記送信機から光学情報信号を受信し、前記光学情報信号を電気信号に変換する回路および前記電気信号を前記情報信号に処理し、前記情報信号を前記セレクタ回路の入力極に出力する回路を提供することと、前記パルス信号を処理する回路および処理された前記パルス信号を光学信号に変換し、この光学信号を前記情報信号の帰線消去部分継続期間中に前記１本以上の光ファイバケーブルを介して前記光ファイバ送信機又は前記送信機に向けて送出する回路と、前記パルス信号を前記１つ以上の伝送線路に供給し、前記情報信号の帰線消去部分継続期間中に前記外部同期信号を前記光ファイバ受信機及び／又は前記送信機に伝搬する回路と、から成ることを特徴とする受信装置。
【請求項２０５】
前記パルス信号の時間および継続期間と符合するクリッピングパルスを付加することにより、前記セレクタ回路から出力された前記情報信号から前記パルス信号をクリップするクリッピング回路を更に含み、もって閉ループ信号及び／又は信号エラーを防止することを特徴とする請求項２０４に記載の受信装置。
【請求項２０６】
前記情報信号が合成ビデオ信号又はディジタルビデオ信号であることを特徴とする請求項２０４に記載の受信装置。
【請求項２０７】
前記パルス信号が前記情報信号の各々に含まれる内部同期信号と極性が逆であることを特徴とする請求項２０６に記載の受信装置。
【請求項２０８】
前記情報信号がオーディオ信号と混合され、前記受信機が前記オーディオ信号を出力するオーディオ抽出回路を更に含むことを特徴とする請求項２０６に記載の受信装置。
【請求項２０９】
ビデオ信号伝送システムに含まれる共通コネクタを介してビデオ信号を受信機に向けて１方向に、制御信号を複数の送信機に向けて反対方向及び／又は直接前記送信機に、伝送線路及び／又は光ファイバケーブル、光ファイバ受信機及び／又は光ファイバ送信機を介して伝搬するため前記送信機を、前記ビデオ信号のいずれかを選択的に接続する或は前記ビデオ信号の一方から他方に切り替えるためのセレクタとともに、接続する受信装置において、前記ビデオ信号の１つ以上の所定水平走査期間中に制御信号を生成する回路と、複数の入力極を有し、前記複数の送信機から複数のビデオ信号を受信して単一ビデオ信号を選択的に出力するセレクタ回路と、前記伝送線路とそれぞれ連携して前記光ファイバ受信機又は前記送信機を対応する前記入力極に接続する１つ以上の共通コネクタ及び／又は前記光ファイバ送信機又は前記送信機を対応する前記入力極に接続する１つ以上の共通コネクタと、前記光ファイバコネクタの各々が１本以上の光ファイバケーブルを接続するとともに、前記１本以上の光ファイバケーブルを介して前記光ファイバ送信機又は前記送信機の１つから光学ビデオ信号を受信し、前記光学ビデオ信号を電気信号に変換する回路および前記電気信号を前記ビデオ信号に処理し、前記ビデオ信号を前記セレクタ回路の入力極に出力する回路を提供することと、前記制御信号を処理する回路および処理された前記制御信号を光学信号に変換し、この光学信号を前記ビデオ信号の垂直帰線消去部分の継続期間中に前記１本以上の光ファイバケーブルを介して前記光ファイバ送信機又は前記送信機に向けて送出する回路と、前記制御信号を前記１つ以上の伝送線路に供給し、前記ビデオ信号の垂直帰線消去部分の継続期間中に前記制御信号を前記光ファイバ受信機及び／又は前記送信機に伝搬する回路と、から成ることを特徴とする受信装置。
【請求項２１０】
前記ビデオ信号の前記１つ以上の所定水平期間と符合するクリッピングパルスを付加することにより、前記セレクタ回路から出力された前記ビデオ信号から前記制御信号のクリッピングを行うクリッピング回路を更に含み、もって閉ループ信号及び／又は信号エラーを防止することを特徴とする請求項２０９に記載の受信装置。
【請求項２１１】
前記ビデオ信号が合成ビデオ信号又はディジタルビデオ信号であることを特徴とする請求項２０９に記載の受信装置。
【請求項２１２】
前記ビデオ信号がオーディオ信号と混合され、前記受信機が前記オーディオ信号を出力するオーディオ抽出回路を更に含むことを特徴とする請求項２１１に記載の受信装置。
【請求項２１３】
前記ビデオ信号が前記送信機に関する識別信号を含み、前記受信機が前記識別信号を抽出する回路を更に含むことを特徴とする請求項２１１に記載の受信装置。
【請求項２１４】
前記制御信号生成回路が前記抽出識別信号を前記制御信号と合成することにより混合制御信号を生成することを特徴とする請求項２１３に記載の受信装置。
【請求項２１５】
前記ビデオ信号がオーディオ信号と混合され、前記受信機が前記オーディオ信号を出力するオーディオ抽出回路を更に含むことを特徴とする請求項２１４に記載の受信装置。
【請求項２１６】
ビデオ信号伝送システムに含まれる共通コネクタを介してビデオ信号を受信機に向けて１方向に、外部同期および制御信号を複数の送信機に向けて反対方向及び／又は直接前記送信機に、伝送線路及び／又は光ファイバケーブル、光ファイバ受信機及び／又は光ファイバ送信機を介して伝搬するため前記送信機を、前記ビデオ信号のいずれかを選択的に接続する或は前記ビデオ信号の一方から他方に切り替えるためのセレクタとともに、接続する受信装置において、前記ビデオ信号の最大電圧レベルより高い或は最小電圧レベルより低い電圧レベルを有するパルス信号を前記ビデオ信号の帰線消去部分の継続期間中に外部同期信号として生成する回路と、前記ビデオ信号の１つ以上の所定水平走査期間中に制御信号を生成する回路と、複数の入力極を有し、前記複数の送信機から複数のビデオ信号を受信して単一ビデオ信号を選択的に出力するセレクタ回路と、前記伝送線路とそれぞれ連携して前記光ファイバ受信機又は前記送信機を対応する前記入力極に接続する１つ以上の共通コネクタ及び／又は前記光ファイバ送信機又は前記送信機を対応する前記入力極に接続する１つ以上の共通コネクタと、前記光ファイバコネクタの各々が１本以上の光ファイバケーブルを接続するとともに、前記１本以上の光ファイバケーブルを介して前記光ファイバ送信機又は前記送信機の１つから光学ビデオ信号を受信し、前記光学ビデオ信号を電気信号に変換する回路および前記電気信号を前記ビデオ信号に処理し、前記ビデオ信号を前記セレクタ回路の入力極に出力する回路を提供することと、前記パルス信号および前記制御信号を処理する回路および処理された前記パルスおよび制御信号を光学信号に変換し、この光学信号を前記ビデオ信号の垂直帰線消去部分の継続期間中に前記１本以上の光ファイバケーブルを介して前記光ファイバ送信機又は前記送信機に向けて送出する回路と、前記パルス信号および前記制御信号を前記１つ以上の伝送線路に供給し、前記ビデオ信号の垂直帰線消去部分の継続期間中に前記外部同期信号および前記制御信号を前記送信機及び／又は前記光ファイバ受信機に伝搬する１つ以上の回路と、から成ることを特徴とする受信装置。
【請求項２１７】
前記パルス信号および前記制御信号の時間および継続期間と符合するクリッピングパルスを付加することにより、前記セレクタ回路から出力された前記ビデオ信号から前記パルス信号および前記制御信号のクリッピングを行う１つ以上のクリッピング回路を更に含み、もって閉ループ信号及び／又は信号エラーを防止することを特徴とする請求項２１６に記載の受信装置。
【請求項２１８】
前記ビデオ信号が合成ビデオ信号又はディジタルビデオ信号であることを特徴とする請求項２１６に記載の受信装置。
【請求項２１９】
前記パルス信号が前記ビデオ信号の各々に含まれる内部同期信号と極性が逆であることを特徴とする請求項２１８に記載の受信装置。
【請求項２２０】
前記ビデオ信号がオーディオ信号と混合され、前記受信機が前記オーディオ信号を出力するオーディオ抽出回路を更に含むことを特徴とする請求項２１８に記載の受信装置。
【請求項２２１】
前記ビデオ信号が前記送信機に関する識別信号を含み、前記受信機が前記識別信号を抽出する回路を更に含むことを特徴とする請求項２１８に記載の受信装置。
【請求項２２２】
前記制御信号生成回路が前記抽出識別信号を前記制御信号と合成することにより混合制御信号を生成することを特徴とする請求項２２１に記載の受信装置。
【請求項２２３】
前記ビデオ信号がオーディオ信号と混合され、前記受信機が前記オーディオ信号を出力するオーディオ抽出回路を更に含むことを特徴とする請求項２２２に記載の受信装置。
【発明の詳細な説明】
【０００１】
【発明の属する技術分野】
この発明は、遠隔配置された送信機から伝搬した情報信号を搬送する光ファイバ線路に外部同期信号及び制御信号を注入し、この注入された信号を同一の光ファイバ伝送線路を介して情報信号の伝搬とは逆方向で上記送信機に送信する光ファイバの接続方法および送信装置又は受信装置並びに光ファイバシステムに関する。
【０００２】
【従来の技術】
情報伝送システムとして使用する閉回路テレビジョン（ＴＶ）システムにあっては、１台または複数のＴＶカメラが単一または多数の伝送線路を介して監視局に接続される。これらのＴＶカメラは、そのパン、チルトあるいはズームレンズ用遠隔制御式位置調整装置を含むことがある。また、このカメラは、ワイパ、ウオッシャ、ヒータ、イルミネータなどの遠隔制御式機能を備え、監視局から発せられた制御命令によって遠隔設定される各種の回路を有することもある。
【０００３】
種々のカメラ機能遠隔制御方法として、多重制御ケーブルを介するＡＣまたはＤＣ制御を採用するものがあり、撚り線（twisted pair wires）または光ファイバケーブルを介して伝送されるディジタルコマンドコードを採用するものもある。さらに、情報信号を搬送するビデオ同軸ケーブルを介してＴＶカメラに制御コマンドコードを伝送する他の方法が米国特許第４，９８９，０８５号、同第５，３３５，０１４号および同第５，５７９，０６０号に開示されており、その内容をここに参照して本書に含める。
【０００４】
複数のＴＶカメラを複数の伝送線路を介して監視局に接続する場合、この伝送線路はＴＶモニタにカメラを選択的に表示するための切替器に接続される。閉回路ＴＶシステムがそのＴＶカメラのための外部同期を採用しない場合、モニタに表示される選択画像は１のＴＶカメラから他のＴＶカメラへの切り替え時、或いはその直後に妨害を受ける。従って、カメラからカメラへの完璧な切り替えを実行し、切り替え時およびその直後の表示画像に障害がないようにするため、上記システムの全てのＴＶカメラを外部的に同期させるのが望ましい。
【０００５】
複数のＴＶカメラを同期させる装置の１つとして、垂直同期信号および水平同期信号或いはＴＶシステムに用いられる複合同期信号を送信する装置が広く知られている。また、垂直駆動信号および水平駆動信号を送信し、送信された垂直および水平駆動信号によってＴＶカメラおよびその偏向／タイミング回路を駆動する装置も広く知られている。
【０００６】
上記のような従来型装置にあっては、伝送された同期信号自体もノイズの影響を受け易いパルス行列であるため、同期信号の伝送には、遮蔽効果の高い専用同軸ケーブル、或いは特に複数のＴＶカメラを備えるシステムを複雑にし、そのコストを押し上げる専用光ファイバケーブルの使用が必要となる。
【０００７】
複数のＴＶカメラを同期させるもう１つの方法および装置として、外部同期信号をビデオ信号伝送線路に注入し、伝送された外部同期信号を介してＴＶカメラの内部同期信号発生器を鎖錠（ロック）することにより外部同期信号発生器からＴＶカメラに外部同期信号を伝送する方法および装置が知られている。このよな装置は米国特許第４、６０３、３５２号に開示されており、その内容をここに引用して本書に含める。
【０００８】
ビデオ信号の伝搬に用いられるいくつかの光ファイバ伝送線路は、ビデオ伝搬とは逆方向の外部同期信号或いはディジタル制御信号などの双方向信号の伝送にも使用されるが、これらの光ファイバ伝送線路を動作させる装置は、その光ファイバ線路の両端に、供給された外部同期信号或いは制御信号のための専用入出力ターミナルを必要とし、これらは光ファイバ伝送線路の両端のビデオ入出力ターミナルに追加されるものである。従って、前述のようなビデオ同軸ケーブルを介して外部同期信号および制御信号を供給する方法および装置は上記光ファイバ伝送線路に適用できない。
【０００９】
【発明が解決しようとする課題】
本発明の目的は、双方向信号、即ち、送信機からの１方向の情報信号および送信機への反対方向の外部同期信号及び／又は制御信号を搬送する同軸ケーブル或いは撚り線などの伝送線路を、双方向信号用共通ターミナルを介して光ファイバ線路のファイバ送信機に接続することである。
【００１０】
本書で使用する “光ファイバ線路”なる用語は、両端に双方向光ファイバトランシーバが接続された単一の光ファイバケーブルを意味し、光ファイバケーブルを送信機に接続するものを“ファイバ送信機”と呼び、光ファイバケーブルを受信機に接続するものを“ファイバ受信機”と呼ぶ。
【００１１】
本発明のもう１つの目的は、双方向信号、即ち、受信制御器からの１方向外部同期信号及び／又は制御信号および受信制御器への反対方向の情報信号を搬送する同軸ケーブル或は撚り線などの伝送線路を、双方向信号用共通ターミナルを介して光ファイバ線路のファイバ受信機に接続することである。
【００１２】
本発明の更に別の目的は、同軸ケーブル若しくは撚り線などの伝送線路の２つの部分間に光ファイバ線路を導入、接続し、一方の部分を送信機に、もう一方の部分を受信制御器にそれぞれ接続し、伝送線路の両部分が双方向信号、即ち、受信機への１方向の情報信号および送信機へに対する逆方向の外部同期信号及び／又は制御信号を搬送するようにし、もって光ファイバ線路の各端部が双方向信号用共通ターミナルを介して１本の伝送線路に接続されるようにすることである。
【００１３】
本発明によれば、光ファイバ線路は、同軸ケーブル或は撚り線などの情報伝送線路に接続されると、同軸ケーブル若しくは撚り線と同じように双方向信号を伝搬する。
【００１４】
本発明の更にもう１つの目的は、光ファイバケーブルの一端を送信機に、他端を受信制御器に直接的に接続し、双方向信号、即ち、送信機から受信制御器への情報信号および受信制御器から送信機への外部同期信号及び／又は制御信号を伝搬させることである。
【００１５】
【課題を解決するための手段】
双方向信号を搬送する情報伝送線路に光ファイバ線路を接続する方法は、信号レベル及び／又は信号タイミングに基づいてファイバ受信機の出力コネクタに介在する複合信号から外部同期信号及び／又は制御信号を分離し、ファイバ受信機の光ファイバコネクタに光学信号を供給する駆動回路に分離された信号を再注入する工程を含む。これに引き続き、ファイバ送信機の光ファイバコネクタから外部同期及び／又は制御信号を抽出し、抽出された外部同期及び／又は制御信号をファイバ送信機の入力コネクタに再注入する工程が含まれ、これにより、ファイバ受信機出力コネクタからファイバ送信機入力コネクタへの外部同期信号及び／又は制御信号の転送が実行される。
【００１６】
本発明による装置は、１本又はそれ以上の情報伝送線路或は光ファイバ線路に接続されて１つ又はそれ以上の受信手段にビデオ信号を供給する、１台又はそれ以上のＴＶカメラなどのビデオ信号発生手段を含む。各ビデオ信号発生手段は、外部同期信号と同期した内部同期信号を発生する内部同期信号発生回路を有する。
【００１７】
本発明によれば、外部同期信号は、ビデオ信号の最大電圧レベルよりも高い或は最小電圧レベルよりも低い電圧レベルを有するパルス信号である。受信手段は、ビデオ信号発生手段に接続された情報伝送線路若しくは光ファイバ線路に外部同期信号を注入する回路を有する。各ビデオ信号発生手段は、外部同期パルス信号の信号レベルを所定電圧の基準信号と比較することによって外部同期信号を抽出するレベル比較回路を有し、抽出された外部同期信号を内部同期信号発生回路に供給する。外部同期パルスがビデオ信号の帰線消去期間中に生成されるため、外部同期信号はビデオ信号に影響を与えることなくビデオ信号の伝送に用いられるのと共通の伝送線路を介して伝送できる。
【００１８】
実施形態において、各ビデオ信号発生手段は、好ましくは、対応する情報伝送線路又は光ファイバ線路を介して受信手段に供給された出力信号から外部同期信号を除去する回路を含む。これにより、情報伝送線路或は光ファイバ線路を介して伝送されたビデオ信号から外部同期信号が除去できるので、外部同期信号が受信手段入力回路に影響を与えることはなく、ビデオ信号が無しで受信できる。
【００１９】
実施形態において、各ビデオ信号発生手段は、更に、各ビデオ信号発生手段に割り当てられる識別番号に対応する識別コード信号を発生し、この識別コード信号を受信手段に供給されたビデオ信号に注入する識別コード発生回路を含んでいてもよい。
【００２０】
受信手段は、更に、受信信号から識別コード信号を抽出する識別コード信号処理手段を含んでいてもよい。
【００２１】
識別コード信号処理手段は、好ましくは、各割当コード番号の識別データを記憶するためのメモリと、受信信号から識別コード信号を抽出し、抽出した識別コード信号を復号することにより復号信号を発生する抽出回路と、メモリから復号信号の識別データを読み出し、読み出した識別データをビデオ信号に重ね合わせる制御器を有する。これにより、受信したビデオ信号は、ビデオ信号を送信しているビデオ発生手段を照合する識別コード信号処理手段によって識別され、もってビデオ発生手段の無エラー制御の基盤が提供される。
【００２２】
本発明の装置は、更に、ビデオ信号発生手段を制御するため、抽出回路によって復号され、供給された、識別コード信号とともに符号化制御コマンドを混合する制御信号を発生し、供給する制御手段を含む。符号化制御コマンドは、制御信号に混合された識別コード信号が制御中のビデオ信号発生手段に割り当てた識別番号と一致するときだけビデオ信号発生手段を動作させるためビデオ信号発生手段に供給される。これにより、制御処理時に制御手段によって抽出され、復号された識別コードを有する特定のビデオ信号発生手段だけがその割当識別番号を制御手段から供給された制御信号から抽出された識別コードと一致させることができる。従って、どの特定ビデオ信号発生手段も認証でき、適正に制御できる。
【００２３】
制御信号は、ビデオ信号の垂直帰線消去期間中にビデオ信号発生手段を受信手段に接続する情報伝送線路或は光ファイバ線路に注入される。ビデオ信号発生手段は、更に、情報伝送線路或は光ファイバ線路から制御信号を抽出し、制御信号に混合された識別コード信号がその割当識別コードと一致するときだけ抽出した制御信号を供給する制御信号処理手段を含んでいてもよい。制御信号は、ビデオ信号の帰線消去期間中に送信されるため、ビデオ信号を妨害することなく共通伝送線路を介して受信手段からビデオ信号発生手段に送信することができる。
【００２４】
各ビデオ信号発生手段は、好ましくは、ビデオ信号にオーディオ信号を注入することにより、ビデオ信号とオーディオ信号とで構成される混合信号を生々し、この混合信号を対応する情報伝送線路或は光ファイバ線路に供給する信号混合手段を更に含む。これにより、混合されたビデオ信号およびオーディオ信号は、共通の情報伝送線路或は光ファイバ線路を介してビデオ発生手段と受信手段との間に送信される。
【００２５】
受信手段は、混合信号からオーディオ信号を抽出することによってオーディオ信号を出力するオーディオ信号読み出し手段を更に含んでいてもよい。
【００２６】
受信手段は、情報伝送線路或は光ファイバ線路のいずれかにビデオ信号の伝搬方向とは逆方向の制御信号を供給する御信号ドライバを更に含んでもよい。各ビデオ発生手段は、好ましくは、情報伝送線路若しくは光ファイバ線路から制御信号を抽出し、抽出した制御信号をビデオ発生手段の駆動回路に供給してカメラ又はそのレンズのための遠隔位置決め装置などの周辺機器を作動する制御信号抽出器を更に含んでもよい。
【００２７】
【発明の実施の形態】
図１は、本発明の好適実施形態としての情報伝送システム１における光ファイバ線路を接続する装置であり、モニタシステムなどの専用閉回路テレビジョン（ＴＶ）システムに適用した例を示している。閉回路ＴＶシステム内の情報信号にはビデオ信号が含まれ、以下の説明において、ビデオ信号は、複合ビデオ信号、デジタルビデオ信号、多重ビデオ及びオーディオ信号、或は、多重ビデオ及びデータ信号、多重ビデオ、オーディオ及びデータ信号であってもよい。
【００２８】
図１において、情報伝送システム１は、伝送線路１６Ｔを介してビデオ信号をファイバ送信機６に送信するＴＶカメラ１０を含む。ファイバ送信機６は、光ファイバケーブル１５を介してビデオ信号を受信制御器１１に出力する。受信制御器１１は、ビデオ信号を受信してＴＶカメラ１０を外部的に同期させ及び／又は制御するための外部同期信号及び／又は制御信号を生成して光ファイバケーブル１５を介してファイバ送信機６に供給する。ここから外部同期信号及び／又は制御信号は伝送線路１６Ｔに注入され、ＴＶカメラ１０を外部的に同期させ及び／又は制御する。
【００２９】
図１に示されるように、光ファイバケーブル１５を接続する１７と、伝送線路１６Ｔを接続する１８の２つのコネクタは、光ファイバケーブル１５及び伝送線路１６Ｔを介して伝搬する双方向信号の共通コネクタである。同様に、図２において、光ファイバケーブル１５を接続する２７と、伝送線路１６Ｒを接続する２８の２つのコネクタは、双方向信号、即ち、受信制御器９に供給される１方向のビデオ信号と、ＴＶＴＶカメラへの逆方向の外部同期及び／又は制御信号の共通コネクタである。
【００３０】
図２を参照するに、情報伝送システム２は、光ファイバケーブル１５を介してビデオ信号をファイバ受信機８に送信するＴＶカメラ１２を含む。ファイバ受信機８は、伝送線路１６Ｒを介して受信制御器９にビデオ信号を出力する。受信制御器９は、ビデオ信号を受信し、ＴＶカメラ１２を外部で同期させ及び／又は制御するための外部同期信号及び／又は制御信号を生成して伝送線路１６Ｒを介してファイバ受信機８に供給する。これから外部同期信号及び／又は制御信号は光ファイバケーブル１５に注入され、ＴＶカメラ１２に供給される。
【００３１】
図１の受信制御器１１は、光ファイバコネクタ２７を介して光ファイバケーブル１５に直接接続されており、図２のＴＶカメラ１２は、光ファイバコネクタ１７を介して光ファイバケーブル１５に接続されている。受信制御器１１は、内蔵のファイバ受信機を含み、同様にＴＶカメラ１２は内蔵のファイバ送信機を含む。従って、図１の情報伝送システム１に別個のファイバ受信機は不要であり、図２の情報伝送システム２に別個のファイバ送信機は必要とされない。
【００３２】
図３は、別の好適実施形態としての情報伝送システム３を示しており、光ファイバケーブル１５によって連結されたファイバ受信機８およびファイバ送信機６は、伝送線路の２つの部分１６Ｒ、１６Ｔ間に設けられている。従って、ＴＶカメラ１０及び受信制御器９は、撚り線伝送線路の接続に用いられる従来の同軸ケーブルコネクタ或はターミナルなどの伝送線路コネクタ１６を採用している。
【００３３】
図４は、情報伝送システム４を示し、ＴＶカメラ１２と受信制御器１１は、それぞれファイバ送信機及びファイバ受信機を有しており、従って光ファイバコネクタ１７を通ってカメラへ向かう信号及び光ファイバコネクタ１８を通って受信制御器へ向かう信号の双方向信号の伝搬用光ファイバケーブル１５によって直接接続されている。
【００３４】
図５は、本発明の更なる別の好適実施形態としての情報伝送システム５を示す。複数のＴＶカメラ１０及び１２は、複数の伝送線路１６Ｒ又は光ファイバケーブル１５を介して受信制御器及びセレクタ９０に接続されている。多数のカメラ１０及び１２を受信制御器及びセレクタ９０に接続する伝送線路或は光ファイバ線路の各々は、図１乃至図４の情報伝送システム１、２，３又は４が双方向信号を伝搬させるのと全く同様に双方向信号を伝搬する。
【００３５】
図７は、外部同期パルスＰ１をバッファ回路３６に供給する周知の外部同期発生器４４を内蔵する受信制御器９を示す。バッファ回路３６はビデオ線路１６Ｌ及びコネクタ１６へ外部同期パルスＰ１を注入する。
【００３６】
外部同期信号Ｐ１の周波数は、フレーム又はフィールド走査周波数を有する、ＴＶカメラ１０又は１２によって生成されたビデオ信号の垂直周波数に関連している。例えばＮＴＳＣシステムの場合、フレーム周波数は３０Ｈｚであり、フィールド周波数は６０Ｈｚである。この場合、外部同期パルスＰ１の周波数は、３０Ｈｚのフレーム周波数か、６０Ｈｚのフィールド周波数のいずれかである。
【００３７】
図６の（Ａ）に示されるように、外部同期信号Ｐ１が発生する時間は、垂直同期パルスに隣接しており、ＴＶカメラ１０或は１２から伝送されるビデオ信号の垂直帰線消去期間中に発生する。この結果、外部同期信号Ｐ１は、ビデオ信号に影響を与えることなくビデオ信号を搬送する共通伝送線路１６Ｒを介してＴＶカメラ１０又は１２に伝搬される。外部同期信号Ｐ１の電圧レベルは、好ましくはビデオ信号の白色レベルＶｗより高くする。しかし、外部同期信号Ｐ１の電圧レベルは、ビデオ信号の最小レベルより低くてもよい。
【００３８】
以下の説明において、ビデオ信号の白色レベルより高い電圧レベルを有するフレーム外部同期パルス、特に、第２フィールドの位相に対応するフレーム外部同期パルスを外部同期信号Ｐ１として使用する。
【００３９】
図示実施形態において、各ＴＶカメラ１０或は１２は、外部同期信号Ｐ１と同期して動作するＴＶカメラである。このＴＶカメラとしては、米国特許第４，６０３，３５２号に開示されるようなビデオ信号のレベルよりも高い（又は低い）電圧レベルを有する外部同期信号と同期させて使用する周知のものが使用される。
【００４０】
各ＴＶカメラ１０、１２は、１、２、３・・・・ｎなどの数字若しくは文字で構成される識別（ＩＤ）コードを生成し、垂直帰線消去期間中にビデオ信号に注入する。
【００４１】
各ＴＶカメラ１０或は１２は、識別コードに対応するコード信号を発生させる回路と、コード信号がビデオ信号に注入された複合信号を発生させる回路を有する。このような装置は、米国特許第 4,603,352 号に開示され、その内容をここに参照して本書に含める。従って、受信制御器９、１１或は９０によって受信される各情報信号は識別コードを含む。
【００４２】
図７に示されるように、受信制御器９の外部同期発生器４４は、この外部同期発生器４４から供給される外部同期信号Ｐ１と同期する図６の（Ｂ）に示されるパルス信号Ｐ２を提供する。外部同期信号を注入するバッファ回路３６がパルス信号Ｐ１を受信してビデオ信号伝送線路１６Ｌに注入するのに対し、パルス信号Ｐ２は、同期パルスクリッピング回路３８を通過するビデオ信号伝送線路１６Ｌから供給された信号から同期パルスＰ１のクリッピングを行う同期パルスクリッピング回路３８に供給され、同期パルスを含まないビデオ信号を出力コネクタ４１に供給する。
【００４３】
同期パルスクリッピング回路３８には、ビデオ信号伝送線路１６Ｌからの図６の（Ａ）の信号と、外部同期発生器４４からの図６の（Ｂ）のタイミング信号Ｐ２とが供給される。信号Ｐ２は、その継続期間中にクリッピング回路を起動し、もってクリッピング回路３８は、信号Ｐ２の期間中にビデオ信号の黒レベルＶｂ上の、クリッピング回路の入力端子に供給される信号の全信号部分をクリッピングする。Ｐ２の継続期間が外部同期信号Ｐ１の周期を含むので、外部同期信号Ｐ１は、図６の（Ｃ）に示されるように出力コネクタ４１に供給される複合ビデオ信号からクリッピング回路３８により取り除かれる。
【００４４】
従って、外部同期信号Ｐ１は、ＴＶカメラ１０或は１２から伝送線路１６Ｌを介して供給されるビデオ信号に含まれていても、クリッピング回路３８によって取り除かれる。この結果、ビデオ信号伝送線路１６Ｌに注入された外部同期信号Ｐ１は、ＴＶカメラ１０或は１２を同期させ、出力コネクタ４１に接続された表示装置で受信エラーを起こすことはない。
【００４５】
ＴＶカメラ１０或は１２がオーディオ信号を発生させるとき、この信号は、ＴＶカメラ１０或は１２の内部でビデオ信号と多重化され、その多重化された信号は、伝送線路１６Ｔを介してファイバ送信機６に供給される。ファイバ送信機６は、伝送線路１６Ｒを介して受信制御器９、１１又は９０に多重化信号を供給するファイバ受信機８に光ファイバケーブル１５を介して多重ビデオ信号を供給する。混合されたビデオ信号及びオーディオ信号は、次いで、クリッピング回路３８の出力端子からオーディオデコーダ４２に供給される。オーディオデコーダ４２は、復号オーディオ信号をオーディオ出力コネクタ４２Ａを介して出力する。
【００４６】
受信制御器９は、対応するＴＶカメラ１０或は１２を制御するための制御信号を生成する制御信号発生器４９を含む。制御信号発生器４９は、ビデオ線路１６Ｌを介して伝搬されるビデオ信号から水平及び垂直同期信号Ｈ、Ｖを分離する同期分離回路４６を有する。また制御信号発生器４９は、分離された同期信号Ｈ及びＶに基づいて、対応するＴＶカメラ１０或は１２を所定のタイミング時にだけ動作させる制御信号を出力する制御信号発生回路５０を含む。カウンタ５２は、同期分離器４６から供給された水平走査線数を各フレーム或はフィールド期間中に数えるために設けられている。また、制御信号発生器４９は、カウンタ５２によって数えられた値が所定値であるときにゲート信号を生成するゲート回路５４と、制御信号発生回路５０から供給される制御信号をビデオ線路１６Ｌに注入するバッファ５６とを有する。
【００４７】
本発明の好適実施形態において、注入回路はミクサ回路を有し、この回路で複数のコード信号を混合し、複合ビデオ信号に注入するようにしてもよい。このようなミクサ回路は米国特許第 4,989,085 号に示されており、その内容を参照して本書に含める。また、米国特許第 5,335,014 号に開示され注入回路であってもよく、その内容を参照して本書に含める。
【００４８】
制御コマンドコードをカメラ１０又は１２に伝搬するためビデオ線路１６Ｌを介して供給される制御コマンドは、電源のオン／オフ、ワイパのオン／オフ、チルティング（tilting）のアップ／ダウン、パンニングの左／右、及びズーミングのテレ／ワイド等を切り替える制御コード、或はビデオ信号伝送の開始／停止コマンドを含んでもよい。制御信号は、制御コマンドに対応する制御コードと、ＴＶカメラ１０又は１２にそれぞれ割り当てられる識別コードを合成してもよい。更に、制御信号は、垂直帰線消去期間中の所定時間に図７のバッファ回路５６によってビデオ線路１６Ｌに注入される。ビデオ線路１６Ｌへの制御信号の注入タイミングは、ビデオ線路１６Ｌへの外部同期信号の注入タイミングとは異なる。
【００４９】
上記から明らかなように、外部同期信号及び制御信号は、受信機９から伝送線路１６Ｒを介してＴＶカメラへ送信される。
【００５０】
図９に示されるように、各ＴＶカメラ１は、電圧比較器６２に基準信号或は電圧を供給する基準源６０を有し、電圧比較器６２は、伝送線路１６Ｔを介して伝送装置から伝送される外部同期信号Ｐ１の電圧レベルと基準信号或は電圧とを比較し、Ｐ１のレベルが基準信号或は電圧と同じ又はそれ以上であるときにパルス信号Ｐ３を発生することにより、外部同期パルスを分離する。内部同期信号発生回路６４は、電圧比較器６２から供給されるパルス信号Ｐ３と同期する内部同期信号Ｈ及びＶを生成し、ビデオ信号発生回路６６は、内部同期信号Ｈ及びＶと同期するビデオ信号を発生し、その同期したビデオ信号を伝送線路１６Ｔに供給する。オーディオ信号発生回路６８は、ビデオ信号とともにオーディオ信号を生成し、オーディオ信号注入回路７０は、オーディオ信号をビデオ線路１６Ｌに注入してオーディオ信号とビデオ信号とを混合する。
【００５１】
図９に示されるように、各ＴＶカメラ１０は、内部同期信号Ｈ及びＶに基づいて複合ビデオ信号の垂直帰線消去期間の所定時間にＴＶカメラ１０に割当てられる識別コードを生成する識別コード設定回路７２と、その設定回路７２から供給される識別コードをビデオ線路１６Ｌに注入する識別コード注入回路７４とを有してもよい。
【００５２】
識別コードが注入回路７４によって伝送線路１６Ｔに注入されるタイミングは、制御信号が図３に示されるように受信制御器９によって伝送線路１６Ｒに注入されるタイミングとは異なる。制御信号は、複合ビデオ信号の垂直帰線消去期間中の１以上の所定水平走査線中に受信制御器９によって伝送線路１６Ｒに注入される。これに対して、識別コードは、複合ビデオ信号の同じ或は別の垂直帰線消去期間中の１以上の別個の所定水平走査線中にＴＶカメラ１０によって伝送線路１６Ｔに注入される。
【００５３】
識別コード信号は図１１の（Ａ）乃至（Ｃ）に示されている。この識別コード信号は、ビデオ信号中の画像信号の最大或は最高レベルである高レベル或は白と、画像信号の最低レベルである低レベル或は黒と、図１１（Ａ）のようにＴＶカメラ１によって生成されたビデオ信号中の画像信号の中間レベルである中レベル或はグレーとで構成される２つ以上のレベルを有するバイナリコード又はバーコード信号である。識別コードは、図１１の（Ｂ）のように、パルス信号レベルと可変パルス幅の組み合わせであってもよい。
【００５４】
代替的に、識別コード信号は、識別コード信号に対応する周波数を有するパルス信号或は正弦波信号でもよく、正弦波信号又は識別コード信号は、図１１の（Ｃ）に示されるように１以上の水平走査期間中、好ましくは垂直帰線消去期間中に発生する。
【００５５】
図７の制御信号発生器５０は、図１１の（Ａ）乃至（Ｃ）の識別コード信号に類似する電子成形信号としての制御コード信号を生成する。しかし、別途成形した電気信号を制御コード信号及び識別コード信号に適用してもよい。同様に、制御信号に含まれる識別コードは、図９のＴＶカメラの識別設定回路７２によって生成される識別コードと同一である必要はない。同一識別コードの代りに、各ＴＶカメラに割当てられたＩＤに相当するコードを使用してもよい。図７の制御信号発生器５０は、周知の電話ダイヤルトーンを生成してもよく、１以上のフィールド期間の実時間オーディオを１以上の水平周期に圧縮するオーディオ圧縮回路で構成してもよい。
【００５６】
図９のＴＶカメラ１０は、図７の制御信号発生回路５０によって生成された識別コード及び制御コードを抽出するコード抽出回路７６と、抽出した識別コードを設定回路７２から供給された識別コードと比較し、両コードが互いに対応する際にデコーダ８０に一致信号を供給する識別コード比較回路７８と、コード抽出回路７６から供給された制御コードを復号し、識別コード比較器７８から一致信号を供給されたときだけ復号制御コードに対応する制御コマンドを発生するデコーダ８０と、を有している。
【００５７】
図１２のコード抽出回路７６は、ビデオ信号の全フィールド或はフレーム期間中に水平同期パルス数を数えるカウンタ８４と、カウンタ８４のカウント値が所定値のときにビデオ線路１６Ｌから供給されるビデオ信号を出力するためカウンタ８４の出力側に接続されたゲート回路８６と、信号レベルを検出或はゲート回路８６から供給される信号の包絡線を検出し、伝送線路１６Ｔから供給されるビデオ信号から抽出されたコード信号を再生、出力するレベルセンサ８８とを含む。
【００５８】
コード比較回路７８は、コード抽出回路７６から供給された抽出コードが設定回路７２で設定されたコードに対応若しくは相当するときマッチ（一致）信号を生成し、コード抽出回路７６から供給された抽出コードが設定回路７２で設定されたコードに対応若しくは相当しないときにはミスマッチ（不一致）信号を生成する。
【００５９】
コード比較回路７８は、抽出回路７６から供給された抽出コードが設定回路７２に設定されたコードと対応若しくは一致する場合に一致（マッチ）信号を発生し、抽出回路７６から供給される抽出コードが設定回路７２に設定されたコードと対応或は一致しない場合に不一致（ミスマッチ）信号を発生する。
【００６０】
図１１の（Ｃ）の信号波形を有する識別コード及び制御コードを使用する際、図１２、図１３及び図１４のレベルセンサ回路８８は、ゲート回路８６から供給されるパルス数或は周波数をカウントするパルス又は周波数カウンタを含んでもよい。生成された制御信号が周知のダイヤルトーン信号或は圧縮オーディオ信号の場合、レベルセンサ回路８８は、周知のダイヤルトーンデコーダ或は周知のオーディオ解凍（復元）回路を更に備えてもよい。
【００６１】
図９のデコーダ８０は、異なる制御コマンドを異なるドライバ（図示せず）に供給し、電源のオン／オフ、ワイパのオン／オフ、上下チルティング、左右パンニング、望遠／広角のズーミング、遠近フォーカス、絞り開閉等を指令することにより、或はビデオ信号送信の開始又は停止を指令することによってＴＶカメラ１０を作動させる。
【００６２】
コード設定回路７２は、パン／チルトヘッドの位置決めなどの周辺状態データの一部を形成するセンサ及びスイッチからのデータの供給を受け、制御コマンドの実行に関するコード、或は周辺状態若しくはいずれかのカメラの内部回路の動作状態に関する診断コードを生成する。制御コマンド実行確認コード、状態或は診断コードは、垂直帰線消去の期間中に所定水平線路のコード挿入器７４を介してビデオ線路１６Ｌに注入される。
【００６３】
制御コマンド実行コード、状態及び診断コードをビデオ線路１６Ｌに注入するタイミングは、識別コードの注入のタイミングとも、図７の受信制御器９によって生成される制御信号若しくは外部同期信号の注入タイミングとも異なる。例えば、同期信号は、垂直帰線消去の期間の最初の水平線の開始時に注入され、識別コードは、垂直帰線消去の期間の１２番目の水平線の間に注入され、制御信号および状態診断コードは、それぞれ垂直帰線消去期間中の１４及び１５番目の水平線と１７番目の水平線の間に注入される。
【００６４】
従って、ビデオ及びオーディオ信号、状態及び／又は診断コード信号並びに各ＴＶカメラ１０又は１２に付与された識別コードで構成される多重信号は、ＴＶカメラ１０からビデオ信号伝送線路１６Ｔを介して受信制御器９に送信される。
【００６５】
図１５に示されるように、ファイバ送信機６は、周知の発光ダイオード若しくはレーザ３３と、フォトトランジスタ又はピンダイオード３１と、光路を発光ダイオード３３およびピンダイオード３１に向けるプリズム或は光ファイバケーブルスプリッタなどの周知の光分割器を採用する光ファイバコネクタ１７に光学的に接続されたフィルタ３０とから成り、もって光ファイバコネクタ１７を介する周知の双方向光信号伝搬を実現。発光ダイオード３３は、ピンダイオードの受信波長と異なる波長を有する光信号を発生する。発光ダイオードは、例えば１３００ｎｍ或は１５５０ｎｍの波長を有する光信号を発生し、ピンダイオード受信波長は８５０ｎｍである。
【００６６】
フィルタ３０は、ピンダイオード３１の波長に相当する波長を有する光信号が通過する光学フィルタであるので、受信制御器９、１１、９０から伝搬する制御及び外部同期信号のみがピンダイオード３１に到達し、浮遊（stray）若しくは反射（return）ビデオ信号によって外部同期及び／又は制御信号が干渉されることはない。
【００６７】
上記に代え、２つの別個の光ファイバコネクタ１７を介して２つの単方向光ファイバケーブルを採用し、一方のコネクタ１７が発光ダイオード３３から光信号を直接受信し、他方の光ファイバコネクタ１７が光信号をピンダイオード３１に直接供給するようにしてもよい。この構成の場合、光学分割器及びフィルタ３０は必要なく、両信号の波長は同じでよい。
【００６８】
コネクタ１を介し伝送線路１６Ｔを通って供給されたビデオ信号は、制御信号クリッパ３５及び外部同期信号クリッパ２５を通過し、ビデオ駆動信号を発光ダイオード３３に供給するビデオドライバ３４に達する。
【００６９】
ビデオドライバ３４は、アナログビデオ駆動信号を処理する、或は発光ダイオード３３を駆動するためビデオ信号を振幅変調（ＡＭ）又は周波数変調（ＦＭ）ビデオ駆動信号に変換する公知の光ファイバビデオドライバである。しかし、ビデオ信号と合成されて伝送線路１６Ｒ及び１６Ｔを介して伝搬した外部同期信号のレベルがビデオ信号のレベルより高いとき、ビデオドライバ３４の入力側に外部同期信号が含まれるとアナログ信号駆動エラーが発生すし、ビデオドライバ３４が周波数モジュレータを採用する場合は周波数変調エラーが発生して光信号を過剰駆動する或は歪めてしまう。従って、ビデオドライバ３４に供給されるビデオ信号から外部同期信号を取り除くのが好ましい。後段で説明するが、閉信号ループを防止するためにも外部同期信号を除去するのが望ましい。
【００７０】
図１６に示されるファイバ受信機８は、周知の発光ダイオード若しくはレーザ２３と、フォトトランジスタ若しくはピンダイオード２１と、光路を発光ダイオード２３およびピンダイオード２１に向ける、プリズム若しくは光ファイバケーブルスプリッタなどの周知の光分割器を採用する光ファイバコネクタ１５に光学的に接続されたフィルタ２０と、から成り、もって光ファイバコネクタ１５を介する周知の双方向光信号伝搬が実現される。発光ダイオード２３は、ピンダイオードの受信波長と異なる波長を有する光信号を発生する。このダイオードは、例えば、８５０ｎｍの波長を有する光信号を発生し、ピンダイオード受信波長は、１３００ｎｍ或は１５５０ｎｍでもよい。
【００７１】
フィルタ２０は、ピンダイオード２１の波長に等しい波長の光信号が通過する光学フィルタであるので、ＴＶカメラ１０或は１２から伝搬するビデオ信号のみがピンダイオード２１に達し、ビデオ信号が外部同期及び／又は制御信号の浮遊或は反射により干渉を受けることはない。
【００７２】
上記の代わりに、２つの別個の光ファイバコネクタ１５を介する２本の単方向光ファイバケーブルを採用し、一方の光ファイバコネクタ１５が光信号をピンダイオード２１に供給し、他方のコネクタ１５が発光ダイオード２３から光信号を直接受信するようにすることもできる。この構成において、光学分割器及びフィルタ２０は必要とされず、両信号の波長を同じにすればよい。
【００７３】
好適実施形態の説明が単一の光ファイバケーブル中を伝搬する双方向光信号に関連しており、ファイバ送信機およびファイバ受信機における双方向信号の波長が相反的でなければならないため、以下の説明において、１３００ｎｍの波長がビデオ光信号に使用され、８５０ｎｍの光信号波長が外部同期及び／又は制御信号に使用される。
【００７４】
従って、以下の説明において、発光ダイオード３３、フィルタ２０及びピンダイオード２１は、全て１３００ｎｍの波長を有し、発光ダイオード２３、フィルタ３０及びピンダイオード３１の波長は全て８５０ｎｍである。
【００７５】
図１６の制御及び外部同期信号ドライバ２４は、周知のファイバ光信号ドライバであり、パルス若しくはアナログ駆動信号を処理又は振幅変調（ＡＭ）若しくは周波数変調（ＦＭ）された駆動信号に変換して発光ダイオード２３を駆動する。
【００７６】
ファイバ送信機６とファイバ受信機８とが光ファイバケーブル１５を介して接続されており、発光ダイオード２３によって生成された光信号の波長が８５０ｎｍで、図１５のファイバ送信機６のフィルタ３０およびダイオード３１の光波長を相反するので、発光ダイオード２３から発した外部同期及び／若しくは制御信号は、図１５のピンダイオード３１に到達する。
【００７７】
同様に、発光ダイオード３３から発した１３００ｎｍの信号波長の多重ビデオ信号は、フィルタ２０を介して図１６のピンダイオード２１に到達し、周知の光ファイバ双方向信号伝搬が実現される。
【００７８】
図１６の比較回路６２の入力側は、線路２８Ｌに接続されており、伝送線路１６Ｒに存在する外部同期信号と混合されたビデオ信号を供給され、ＴＶカメラ１０のコンパレータ６２が外部同期信号を分離するのと同じ要領で、その混合信号を所定の基準信号或は電圧６０と比較することによってビデオ信号から外部同期信号を分離する。
【００７９】
同様に、制御コード抽出器７６Ａは、線路２８Ｌから供給された複合信号から制御信号を抽出する。図１３を参照するに、制御コード抽出器７６Ａは、ビデオ信号から水平同期信号と垂直同期信号を分離する同期信号分離回路８２と、各フィールド或はフレームの水平走査線数を数えるカウンタ８４と、そのカウンタ８４によって数えられた値が所定値に等しいときにビデオ信号を期間中にだけ出力するゲート回路８６と、ゲート回路８６の出力信号の包絡線或はレベルを検知することによってコード信号を再生するレベルセンサ８８と、で構成される。また、カウンタ８４は、図１６のファイバ受信機８の制御信号クリッパ３５を作動させるクリッピングパルスＣＰ４を供給する。
【００８０】
外部同期信号のタイミング生起（timing incidence）が制御信号のタイミングと異なるので、分離された外部同期信号および制御信号を制御及び外部同期ドライバ２４に供給したときに両者が干渉し合うことはない。
【００８１】
更に、外部同期信号レベルは、ビデオ信号レベルより高く、制御信号の最大レベルは、図１１の（Ａ）のビデオ信号の最高レベルとなるビデオ信号の白色信号レベルである。従って、制御及び外部同期ドライバ２４は、時間で分離される２つの異なる光信号を発するため発光ダイオード２３に２つの異なるレベルの信号を供給する。
【００８２】
制御信号がファイバ送信機６のビデオ線路に再注入されるので、再注入制御信号を含んだ受信信号が制御コード抽出器７６Ａの入力側にフィードバックする閉信号ループ及び発振を防止するためビデオ線路２８Ｌから再注入制御信号を取り除く必要がある。
【００８３】
図１３の制御コード抽出器７６Ａのゲート８６は、このゲートがレベルセンサ８８に複合信号を出力する間に、即ち受信制御器９或は９０によって注入される制御信号の具体的な所定水平期間中にクリッピングパルスＣＰ４を供給する。図１１の（Ｄ）のクリッピングパルスＣＰ４は、その周期中だけ図１６の制御信号クリッパ３５に供給されて制御信号クリッパ３５を駆動し、ファイバ送信機６に再注入される制御信号が全てクリッピングされ、除去される。図１１の（Ｄ）に示されるのは、１の水平走査周期の期間を有するクリッピングパルスＣＰ４であり、図１１の（Ｅ）は、制御信号クリッパ３５の出力側でクリッピングされた信号を示している。しかし、受信制御器９、１１又は９０によって発生した制御信号が対応するいくつかの水平周期の間にビデオ信号に注入される場合は、クリッピングパルスＣＰ４の所定期間はその複数周期の期間となる。
【００８４】
図１５において、ファイバ送信機６は、ビデオドライバ３４の入力と発光ダイオード３３とから制御及び外部同期信号を除去するための制御信号クリッパ３５と外部同期信号クリッパ２５とから成り、もって発射された光信号から制御及び／又は外部同期信号を除去し、閉信号ループを防止する。従って、光ファイバケーブル１５を介して光ファイバ受信機８に到達する光信号は、外部同期或は制御信号成分を含まない。ともかく、光ファイバ線路および伝送線路の連結設定時に、残留閉信号ループ或は信号エラーが発生しないように、受信制御器およびＴＶカメラを含む、光ファイバ線路および伝送線路に接続する各要素に沿って制御信号及び外部同期信号クリッピング回路を導入することが望ましい。
【００８５】
図１６のファイバ受信機８を参照するに、外部同期クリッパ２５は、図７の受信制御器９の外部同期クリッピング回路３８に類似しており、出力コネクタ２８から残留外部同期信号を除去する。
【００８６】
周知のピンダイオード２１に到達する光信号は、光学信号を電気信号に変換し、この電気信号をビデオプロセッサ２２の入力側に供給する。ビデオプロセッサ２２は、光ファイバケーブル１５を介して供給される光学信号がアナログ信号或は振幅変調信号の場合にアナログ増幅器を採用し、光ファイバケーブル１５を介して供給される光学信号が周波数変調された信号（ＦＭ信号）であるときはＦＭモジュレータ回路を採用する。
【００８７】
ビデオプロセッサ２２は、更に、ビデオ信号を出力するため周知の小信号トランスインピーダンス増幅器及び出力ビデオ増幅器から成る。出力されたビデオ信号は、外部同期クリッパ２５及び制御信号クリッパ３５を介してビデオ出力コネクタ２８に供給される。
【００８８】
上述のように、図１６のファイバ受信機８は、外部同期信号及び制御信号を出力コネクタ２８に存在する信号から抽出し、この抽出信号を光ファイバコネクタ２７に再注入して、ビデオ信号を妨害せずに外部同期信号及び／又は制御信号をビデオ信号の伝搬とは逆の方向に伝搬させ、もって双方向信号を搬送する共通コネクタを介して光ファイバ線路と伝送線路とを接続する。
【００８９】
また、図１５のファイバ送信機６は、出力コネクタ１７を介して光ファイバケーブル１５によって伝搬された外部同期信号及び／又は制御信号を抽出し、この抽出信号をビデオ信号の伝搬を妨害せずにビデオ信号の伝搬とは逆の方向で入力コネクタ１８に再注入し、もって双方向信号を搬送する共通コネクタを介して光ファイバ線路と伝送線路の接続を行う。
【００９０】
図８に示されているのは、ファイバ受信機８が光学ビデオ信号を処理する要領で、光学コネクタ２７、フィルタ２０及びピンダイオード２１並びにビデオプロセッサ２２を介して光学ビデオ信号を処理する受信制御器１１である。外部同期信号及び／又は制御信号は、外部同期発生器４４及び制御信号ゲート５４から制御及び外部同期ドライバ２４に直接供給され、図１６のファイバ受信機８の使用を不要とする。しかし、ファイバ送信機６は、受信制御器１１に光ファイバケーブル１５を介して直接接続し、ファイバ送信機とＴＶカメラ１０を接続する伝送線路１６Ｔに外部同期及び／又は制御信号を再注入する手段を提供するようにしてもよい。
【００９１】
図７、図８および図１７にそれぞれ示される受信機９、１１、９０は、残留制御信号をビデオ信号からクリッピングする制御信号クリッピング回路５７を備えており、閉信号ループによる残留制御信号は、識別コード抽出器の入力に再入力されず、コード抽出エラーが起こることはない。制御信号クリッピング回路５７は、同期カウンタ５２の出力によって起動し、図１６の制御信号クリッパ３５と同様に動作する。
【００９２】
図１７に示されているのは、複数のＴＶカメラ１０又は１２を選択的に接続するセレクタスイッチ９１からなる受信機９０である。複数のＴＶカメラ１０或は１２を選択的に受信制御器９０にセレクタスイッチ９１を介して接続するとき、図９及び図１０の複数のＴＶカメラ１０或は１２の内部同期発生器６４を全て外部的に同期させて互いにロックし、もって一方のＴＶカメラから他方のＴＶカメラへ切り換え或は選択時或はその直後の妨害を防ぐことが望ましい。
【００９３】
外部同期発生器４４は、図７及び図８の受信制御器９及び１１が個々の伝送線路或は光ファイバケーブルに外部同期信号を注入する要領で、バッファ３６及びコネクタ１６を介して外部同期信号を伝送線路１６Ｒに供給し、バッファ３６Ａ並びに制御及び外部同期ドライバ２４を介して光ファイバケーブル１５に供給する。
【００９４】
図１７の制御発生器４９によって発生した制御信号は、図７の受信制御器９のバッファ５６が制御信号を注入する要領でバッファ５６を介して伝送線路１６Ｌに注入されるか、図８の受信制御器１１のゲート５４が制御信号を供給する要領でゲート５４から制御及び外部同期ドライバ２４に直接供給される。
【００９５】
図１７のスイッチ９１は、単極ロータリスイッチであるが、電気的なスイッチでもよく、例えばアナログＩＣスイッチ又はマトリックスＩＣスイッチ或は他の電気的若しくは機械的スイッチ又はスイッチの組合せでもよい。スイッチの出力極は、線路１６Ｓを介し、制御信号クリッピング回路５７及び同期パルスクリッピング回路３８を経由して制御或は外部同期信号の残留がないビデオ信号を出力する。多数の伝送線路１６Ｒを受信制御器９０のスイッチ９１の入力極に接続すると、バッファ５６の出力を多数の負極へ接続するかわりに線路１６Ｓに接続することができ、制御信号を選択的にＴＶカメラに供給することができる。
【００９６】
また、制御信号を多数のバッファ５６を介してスイッチ９１の多数のｎ極に平行に供給することもできる。選択的に接続されたカメラの認識と制御コードとを合成することにより、各ＴＶカメラ１０或は１２を確認と同時に制御することができ、全てのＴＶカメラ１０或は１２に制御信号を平行して一度に供給できる。更に、スイッチ９１を介して選択されたＴＶカメラだけがコード抽出器７６によって抽出され、制御信号発生器５０を介して制御コマンドに混合されるＩＤを有するので、混合コードが図９及び図１０のＴＶカメラのコード比較回路７８によってＴＶカメラの識別コードと比較されたとき、制御信号に応答する唯一のＴＶカメラ１０或は１２となる。
【００９７】
図１０のＴＶカメラ１２は、公知の発光ダイオード若しくはレーザ３３と、フォトトランジスタ若しくはピンダイオード３１と、ファイバ送信機６に類似する構成の周知の光分割器を採用する光ファイバコネクタ１７に光学的に接続されたフィルタ３０と、から成る。同様に、ビデオドライバ３４と、外部同期及び制御信号プロセッサ３２と、制御コード抽出器７７と、比較回路３６と、基準電源３９は、全てファイバ送信機６の回路に類似した回路であり、ファイバ送信機６の回路の場合と同様に内部で接続されている。
【００９８】
比較回路３６は、図１０および図１５の制御コード抽出器７７に外部同期パルスＰ３を供給する。図１４において、パルスＰ３は、生起及び継続期間（incidence and duration）タイマ８５の入力に供給され、遅延及び継続期間を有する所定のゲートパルスを発生させ、制御信号が発生している時間及びそのタイミングに相当する水平線の所定持続時間中だけゲート８７を動作させる。制御信号は、制御コード抽出器７６及び７６Ａに関して述べられているような構成で、線路３２Ｌからゲート８７を介してレベルセンサ８８に供給される。同様に、制御コード抽出器７７は、図１３に示されるように同期分離回路８２を介してビデオ線路に接続することにより、Ｈ及びＶ信号が、生起及び継続期間タイマ８５にＰ３の代わりに供給される。また生起及び継続期間タイマ８５は、クリッピングパルスＣＰ５を出力し、図１５のファイバ受信機６の制御信号クリッパを駆動する。
【００９９】
従って、外部同期及び／又は制御信号は、光ファイバ送信機６と受信制御器１１或は９０との間の光ファイバケーブルを介して伝搬する。光ファイバ送信機６は、外部同期及び／又は制御信号を注入する。伝送線路１６Ｔは、ＴＶカメラ１０とファイバ送信機６とを接続し、双方向信号の伝搬、即ちＴＶカメラ１０からファイバ送信機６に向かうビデオ信号並びに共通コネクタ１６或は１８を経由してＴＶカメラに向かう同期及び／又は制御信号を伝搬させる。
【０１００】
また、ＴＶカメラ１２によって発生したビデオ信号をファイバ受信機を介して受信制御器９に搬送する光ファイバケーブル１５は、外部同期及び／又は制御信号をＴＶカメラ１２に伝搬させ、外部同期及び／又は制御信号は、受信制御器９或は９０によってファイバ受信機８と受信制御器９或は９０とを共通コネクタ１６、２８で接続する伝送線路１６Ｒに注入される。
【０１０１】
同様に、ＴＶカメラ１２は、双方向信号、即ち受信制御器１１或は９０に向かうビデオ信号並びにＴＶカメラ１２に向かう外部同期及び／又は制御信号を伝搬させる１本の光ファイバケーブル１５を用いて受信制御器１１或は９０に接続される。またＴＶカメラは、比較回路３６及び制御コード抽出器７７を介して外部同期パルス、制御コードをそれぞれ取り出す。受信制御器１１或は９０のクリッピング回路５７及び３８は、閉信号ループ及び／又は出力信号レベルエラーを防止するため残留反射信号を取り除く。
【０１０２】
本願における外部同期及び制御信号クリッピング回路はそれぞれ独立した回路となっているが、１つのクリッピング回路として利用することも可能であり、図１５のＰ３及びＣＰ５、又は図１６のＰ３及びＣＰ４、又は図７のＰ２及び同期カウンタ５２の出力信号のような２つのクリッピングパルスを合成し、１個とされたクリッピング回路に供給することによって外部同期及び制御信号の両者をクリッピングする。
【０１０３】
図７、図８及び図１７について説明するに、受信制御器９、１１或は９０の各外部同期発生器４４には、多数の受信機を採用する監視システムの複数の受信制御器９、１１或は９０を同期して駆動させるためにマスター外部同期信号が供給される。
【０１０４】
同様に、図１６の制御及び外部同期ドライバ２４にコネクタ４４Ａを介して図７の受信制御器９から出力された同期駆動信号を、比較回路６２から供給された抽出外部同期信号の代りにコネクタ４４Ｂを介して供給することにより、その制御及び外部同期ドライバ２４を同期させて駆動することもできる。また、図７の受信制御器９からコネクタ４９Ａを介して出力された制御信号を、制御コード抽出器７６Ａの出力信号の代りに図１６の制御及び外部同期ドライバ２４にコネクタ４９Ｂを経由して供給することもできる。これにより、ＴＶカメラ１０とファイバ送信機６とは伝送線路１６Ｔ並びに共通コネクタ１６及び１８を介して接続され、ファイバ受信機８は、図１６のコネクタ４４Ｂ、４９Ｂ及び２８に接続される図７及び図１７の個々のコネクタ４４Ａ、４９Ｂ及び１６を介して受信制御器９に接続される。
【０１０５】
更に、図９のＴＶカメラは、図１５のファイバ送信機６に個々のコネクタ１６、１８、４４Ｃ及び４９Ｃを介して接続することができ、伝送線路１６Ｔ及びコネクタ１６及び１８を介してビデオ信号、並びに、個々のコネクタ４４Ｃ及び４９Ｃを介して外部同期及び／又は制御信号が供給される。従って、ＴＶカメラ１０は光ファイバ線路に接続され、図１６のファイバ受信機８は、ビデオ信号を伝送線路１６Ｒに供給するとともに、伝送線路１６Ｒからの外部同期及び／又は制御信号を抽出し、抽出された信号を光ファイバコネクタ２７に再注入する、といった双方向信号処理を行い、伝送線路１６Ｒは、共通コネクタ１６及び２８を介して受信制御器９或は９０に接続される。
【０１０６】
図９のＴＶカメラ１０と図１５のファイバ送信機６との間にある個々のコネクタを使用すれば、図示された制御信号注入器３７及び外部同期信号注入器３８は必要ない。同様に、図９の制御コード抽出器７６、比較回路６２及び基準電圧源６０も不要である。
【０１０７】
上記から明らかなように、図１乃至図５に示された全システムは連結可能であり、部分的に或はシステム全体として応用でき、如何なるシステムの形態においても線路の少なくとも一部は共通コネクタを介して接続できる。更に、閉ループ信号が再合成双方向信号に影響を及ぼすことはない。
【０１０８】
本発明は、監視システムに使用される情報伝送線路及び光ファイバ線路装置だけでなく、他の情報伝搬装置にも応用できる。
【０１０９】
言うまでもなく、以上の開示は本発明の好適実施形態のみに関するものであり、本開示の変形例をカバーすることを示唆し、この変形例は本発明の範囲及び趣旨を逸脱したものでないと理解できよう。
【図面の簡単な説明】
【図１】本発明の好適実施形態による光ファイバ線路接続装置のブロック図。
【図２】本発明の好適実施形態による光ファイバ線路接続装置のブロック図。
【図３】本発明の好適実施形態による光ファイバ線路接続装置のブロック図。
【図４】本発明の好適実施形態による光ファイバ線路接続装置のブロック図。
【図５】本発明の好適実施形態による光ファイバ線路接続装置のブロック図。
【図６】図１乃至図５の装置によって伝送される信号の波形図。
【図７】図２及び図３に示される装置の好適実施形態の受信装置を示す電気回路ブロック図。
【図８】好適実施形態の受信装置に光ファイバケーブルを接続するコネクタを提供する図７の電気回路の変形ブロック図。
【図９】図１、図３、及び図５の装置の好適実施形態のＴＶカメラを示す電気回路ブロック図。
【図１０】好適実施形態の送信装置に光ファイバケーブルを接続するコネクタを提供する図９の電気回路の変形ブロック図。
【図１１】識別コード信号およびそのクリッピング回路の波形図。
【図１２】図７の受信装置及び図９のＴＶカメラの好適実施形態のコード抽出回路のブロック図。
【図１３】図１６のファイバ受信機の好適実施形態におけるコード抽出回路のブロック図。
【図１４】図１０のＴＶカメラの変形例及び図１５のファイバ送信機の好適実施形態のコード抽出回路のブロック図。
【図１５】本発明の好適実施形態の情報伝送線路に光ファイバケーブルを接続するファイバ送信機のブロック図。
【図１６】本発明の好適実施形態における情報伝送線路に光ファイバケーブルを接続するファイバ受信機のブロック図。
【図１７】図５の装置における他の好適実施形態としてのセレクタを備える受信装置の電気回路ブロック図。
【符号の説明】
１、２、３、４、５．．．情報伝送システム
６．．．ファイバ送信機
７．．．ファイバ受信機
８．．．ファイバ受信機
９．．．受信制御器
１０．．．ＴＶカメラ
１１．．．受信制御器
１２．．．ＴＶカメラ
１５．．．光ファイバケーブル
１６．．．伝送線路コネクタ
１６Ｌ．．．ビデオ線路
１６Ｒ．．．伝送線路
１６Ｔ．．．伝送線路
１７．．．コネクタ
１８．．．コネクタ
２０．．．フィルタ
２１．．．ピンダイオード
２２．．．ビデオプロセッサ
２３．．．発光ダイオード
２４．．．制御及び外部同期信号ドライバ
２５．．．外部同期信号クリッパ
２７．．．コネクタ
２８．．．コネクタ
２８Ｌ．．．線路
３０．．．フィルタ
３１．．．ピンダイオード
３２．．．外部同期及び制御信号プロセッサ
３２Ｌ．．．線路
３３．．．発光ダイオード
３４．．．ビデオドライバ
３５．．．制御信号クリッパ
３６．．．バッファ回路  比較回路
３７．．．制御信号注入器
３８．．．同期パルスクリッピング回路  外部同期信号注入器
３９．．．基準電源
４１．．．出力コネクタ
４２．．．オーディオデコーダ
４２Ａ．．．オーディオ出力コネクタ
４４．．．外部同期発生器
４４Ａ．．．コネクタ
４４Ｂ．．．コネクタ
４６．．．同期分離回路
４７．．．制御信号発生器
４９Ａ．．．コネクタ
４９Ｂ．．．コネクタ
５０．．．制御信号発生回路
５２．．．カウンタ
５３．．．ゲート回路
５６．．．バッファ回路
５７．．．制御信号クリッピング回路
６０．．．基準電圧源
６２．．．電圧比較器
６４．．．内部同期信号発生回路
６６．．．ビデオ信号発生回路
６８．．．オーディオ信号発生回路
７０．．．オーディオ信号注入回路
７２．．．識別コード設定回路
７４．．．識別コード注入回路
７６．．．制御コード抽出器
７６Ａ．．．制御コード抽出器
７７．．．制御コード抽出器
７８．．．識別コード比較回路
８０．．．デコーダ
８２．．．同期信号分離回路
８４．．．カウンタ
８５．．．生起及び継続期間タイマ
８６．．．ゲート回路
８７．．．ゲート
８８．．．レベルセンサ
９０．．．受信制御器及びセレクタ
９１．．．セレクタスイッチ
Ｐ１．．．外部同期パルス
Ｐ２．．．パルス信号
Ｐ３．．．外部同期パルス
ＣＰ４．．．クリッピングパルス
ＣＰ５．．．クリッピングパルス
Ｖｗ．．．ビデオ信号の白色レベル
Ｖｂ．．．黒レベル
Ｈ．．．水平同期信号  内部同期信号
Ｖ．．．垂直同期信号  内部同期信号
【図１】
0003964543.tif 000002
【図２】
0003964543.tif 000003
【図３】
0003964543.tif 000004
【図４】
0003964543.tif 000005
【図５】
0003964543.tif 000006
【図６】
0003964543.tif 000007
【図７】
0003964543.tif 000008
【図８】
0003964543.tif 000009
【図９】
0003964543.tif 000010
【図１０】
0003964543.tif 000011
【図１１】
0003964543.tif 000012
【図１２】
0003964543.tif 000013
【図１３】
0003964543.tif 000014
【図１４】
0003964543.tif 000015
【図１５】
0003964543.tif 000016
【図１６】
0003964543.tif 000017
【図１７】
0003964543.tif 000018